(57)【要約】      （修正有）【課題】所定の解錠操作を行わなければ扉体を閉め切ることができない構成とした上で、所定の解錠操作を行わずに扉体を閉め切ろうとした場合に生じる不具合を抑制することのできる遊技機を提供する。【解決手段】パチンコ機１０は、内枠１２に開閉可能に支持される前面枠セット１４と、扉体を施錠する施錠手段とを具備する。施錠手段は、シリンダ錠１９６と、前面枠セット１４に設けられた鉤部材と、内枠１２に設けられ、前面枠セット１４の閉状態において鉤部材と係合する受部材とを備える。シリンダ錠１９６の操作を行わなければ、前面枠セット１４に対してその閉方向に力を加えても、鉤部材と受部材とが接触して前面枠セット１４を閉鎖できない構成となっている。前面枠セット１４を閉鎖できない状態のときに前面枠セット１４を閉方向に移動させていくことで、可動部と受部材とが接触し、可動部が受部材に押されて第２の位置から第１の位置側に移動する。【選択図】図１
2008006071.tif 000002
【特許請求の範囲】
【請求項１】
遊技機本体の左右一側部に対し開閉可能に支持される扉体と、
前記遊技機本体の左右他側部において前記扉体を前記遊技機本体に施錠する施錠手段とを備え、
前記施錠手段は、
施錠状態にある前記扉体を開放可能な解錠状態とする際に所定の解錠操作が行われる錠部材と、
前記扉体又は前記遊技機本体のうち一方側に設けられた鉤部材、及び、他方側に設けられ、前記扉体の閉状態において前記鉤部材と係合する受部材とを備え、
前記鉤部材は、前記扉体の閉状態において前記受部材に設けられた前記支持部を係止する係止辺部を有する爪部を備え、
前記鉤部材又は前記受部材のうち一方は、前記錠部材の解錠操作に連動して、前記支持部が前記爪部に係止されて前記扉体の開放を規制する施錠位置から、前記扉体の開放を許容する解錠位置へと移動し、
前記施錠手段は、前記鉤部材又は前記受部材のうち前記施錠位置と前記解錠位置との間で移動可能に設けられた一方を前記施錠位置側に付勢する付勢手段を備え、
前記錠部材の解錠操作が行われることによって、前記鉤部材又は前記受部材のうち前記施錠位置と前記解錠位置との間で移動可能に設けられた一方が、前記扉体に対してその閉方向に力を加えることによって前記鉤部材と前記受部材とが接触することなく、又は、前記鉤部材と前記受部材とが摺接して前記扉体の閉方向への移動が許容される閉鎖許容位置にある場合には、開状態にある前記扉体に対してその閉方向に力を加えることで、前記扉体を閉状態とすることができ、
前記鉤部材又は前記受部材のうち前記施錠位置と前記解錠位置との間で移動可能に設けられた一方が前記閉鎖許容位置よりも前記施錠位置側にある場合には、開状態にある前記扉体に対してその閉方向に力を加えても、前記鉤部材と前記受部材とが接触して前記扉体が所定角度開いた状態でその閉方向への移動が規制される構成であって、
前記扉体又は前記遊技機本体のうち一方に設けられるとともに、当該一方に対して相対移動可能に設けられた可動部を備え、
前記可動部は、前記鉤部材又は前記受部材のうち前記施錠位置と前記解錠位置との間で移動可能に設けられた一方が前記閉鎖許容位置よりも施錠位置側に位置する状態にあるときに、前記扉体又は前記遊技機本体のうち前記可動部が設けられていない他方と接触し得る位置に配置されるとともに、
前記鉤部材と前記受部材とが接触して前記扉体が所定角度開いた状態で前記扉体の閉方向への移動が規制されるときの位置である第１の位置と、前記第１の位置にあるときよりも前記扉体が開いた状態となったときに位置する第２の位置との間で移動可能に構成され、
前記扉体又は前記遊技機本体のうち前記可動部が設けられた一方は、前記可動部を前記第２の位置側に付勢する緩衝付勢手段を備え、
前記鉤部材又は前記受部材のうち前記施錠位置と前記解錠位置との間で移動可能に設けられた一方が前記閉鎖許容位置よりも前記施錠位置側に位置する状態において開状態にある前記扉体を閉じていくことで、前記扉体又は前記遊技機本体のうち一方に設けられた前記可動部と他方とが接触し、当該接触状態からさらに前記扉体に対してその閉方向に力を加えることで、前記可動部が前記他方に押されて前記第２の位置から前記第１の位置側に移動することを特徴とする遊技機。
【発明の詳細な説明】
【技術分野】
【０００１】
本発明は、遊技機に関するものである。
【背景技術】
【０００２】
遊技機の一種としてパチンコ機等がある。このようなパチンコ機においては、遊技領域を有する遊技機本体の前面側に、扉体が設けられるのが一般的である。扉体には、通常、板ガラスが装着された窓部が形成されており、この窓部を介して遊技領域が視認可能となっている。このような扉体は、遊技機本体、例えば、パチンコ機でいえば、矩形状の内枠に対して開閉可能に支持される。また、パチンコ機には、閉状態にある扉体の開放を規制する施錠装置が設けられている（例えば特許文献１参照）。このように、パチンコ機に設けられる施錠装置は、扉体から後方に延出する鉤本体、及び扉体の開閉方向と交差する方向に突出する爪部を有する鉤部材と、遊技機本体（内枠）に設けられ、扉体の閉状態において前記爪部に係止される支持部を有する受部材と、施錠状態にある扉体を開放可能な解錠状態とする際に回動操作が行われるシリンダ錠とを備えている。
【０００３】
近年、外枠と内枠との間から金属片等を無理やり遊技機内部にねじ込む等して扉体を開放させるといった不正行為が発生している。これに対し、扉体の開放を報知する報知手段を設けたり、ビデオカメラを設置したりする等の対策がとられている。ところが、雑多な業務の中で常に監視を行っていくことは困難であり、このため、上記不正行為を発見できないことが懸念される。つまり、遊技機が設置されたホールには店員が配置されているのであるが、上記不正行為が短時間で行われる場合には、かかる不正行為の発見が難しく、不正行為が行われたことに気付かないといった事態も起こり得る。また、ホールコンピュータによる監視にあっては、直接遊技機を監視しているわけではないので、対処が遅れてしまうおそれがあり、結局不正行為者の思い通りになってしまうおそれがある。
【特許文献１】特開２００３−３２５９１４号公報
【発明の開示】
【発明が解決しようとする課題】
【０００４】
これに対し、開状態にある扉体を閉めようとしても、シリンダ錠の回動操作を行わない限り、扉体を閉め切ることができない構成とすることが考えられる。より詳しくは、鉤部材の先端部（先端縁）及び支持部を扉体の開閉方向と直交する方向に延在させるとともに、開状態にある扉体を、シリンダ錠の回動操作を行うことなく閉めていく場合に、扉体が閉め切られる前に鉤部材の先端部と支持部とが接触するよう設定しておき、支持部の爪部側への相対移動ができないようにするといった構成が挙げられる。このような構成を採用することで扉体の不正開放を発見しやすくなり、結果として、かかる不正行為の抑制を図ることができる。
【０００５】
しかしながら、複数種類の遊技機が設置されるホールにおいて、シリンダ錠の回動操作を行わなくても扉体を押し込んでいくだけで閉鎖できるといった従来の遊技機と、上記のように、シリンダ錠の回動操作を行わなければ扉体を閉め切ることができないといった遊技機とが混在すると、シリンダ錠の回動操作を行わなければ扉体を閉め切ることができない構成の遊技機に対しても、店員等が誤ってシリンダ錠の解錠操作を行わずに扉体を無理に閉め切ろうとしたり、勢いよく閉めたりしてしまうおそれがある。これに起因して、施錠装置等に大きな力が加わり、施錠装置等が損傷してしまうこと等が懸念される。
【０００６】
なお、上述した課題は、パチンコ機に限られるものではなく、スロットマシン、パチンコ機とスロットマシンとの複合機等の他の遊技機にも該当する問題である。
【０００７】
本発明は、上述した問題点を解決するためになされたものであり、その目的は、所定の解錠操作を行わなければ扉体を閉め切ることができない構成とした上で、所定の解錠操作を行わずに扉体を閉め切ろうとした場合に生じる不具合を抑制することのできる遊技機を提供することにある。
【課題を解決するための手段】
【０００８】
以下、上記目的等を解決するのに適した各手段につき項分けして説明する。なお、必要に応じて対応する手段に特有の作用効果等を付記する。
【０００９】
手段１．遊技機本体の左右一側部に対し開閉可能に支持される扉体と、
前記遊技機本体の左右他側部において前記扉体を前記遊技機本体に施錠する施錠手段とを備え、
前記施錠手段は、
施錠状態にある前記扉体を開放可能な解錠状態とする際に所定の解錠操作が行われる錠部材と、
前記扉体又は前記遊技機本体のうち一方側に設けられた鉤部材、及び、他方側に設けられ、前記扉体の閉状態において前記鉤部材と係合する受部材とを備え、
前記鉤部材は、前記扉体の閉状態において前記受部材に設けられた前記支持部を係止する係止辺部を有する爪部を備え、
前記鉤部材又は前記受部材のうち一方は、前記錠部材の解錠操作に連動して、前記支持部が前記爪部に係止されて前記扉体の開放を規制する施錠位置から、前記扉体の開放を許容する解錠位置へと移動し、
前記施錠手段は、前記鉤部材又は前記受部材のうち前記施錠位置と前記解錠位置との間で移動可能に設けられた一方を前記施錠位置側に付勢する付勢手段を備え、
前記錠部材の解錠操作が行われることによって、前記鉤部材又は前記受部材のうち前記施錠位置と前記解錠位置との間で移動可能に設けられた一方が、前記扉体に対してその閉方向に力を加えることによって前記鉤部材と前記受部材とが接触することなく、又は、前記鉤部材と前記受部材とが摺接して前記扉体の閉方向への移動が許容される閉鎖許容位置にある場合には、開状態にある前記扉体に対してその閉方向に力を加えることで、前記扉体を閉状態とすることができ、
前記鉤部材又は前記受部材のうち前記施錠位置と前記解錠位置との間で移動可能に設けられた一方が前記閉鎖許容位置よりも前記施錠位置側にある場合には、開状態にある前記扉体に対してその閉方向に力を加えても、前記鉤部材と前記受部材とが接触して前記扉体が所定角度開いた状態でその閉方向への移動が規制される構成であって、
前記扉体又は前記遊技機本体のうち一方に設けられるとともに、当該一方に対して相対移動可能に設けられた可動部を備え、
前記可動部は、前記鉤部材又は前記受部材のうち前記施錠位置と前記解錠位置との間で移動可能に設けられた一方が前記閉鎖許容位置よりも施錠位置側に位置する状態にあるときに、前記扉体又は前記遊技機本体のうち前記可動部が設けられていない他方と接触し得る位置に配置されるとともに、
前記鉤部材と前記受部材とが接触して前記扉体が所定角度開いた状態で前記扉体の閉方向への移動が規制されるときの位置である第１の位置と、前記第１の位置にあるときよりも前記扉体が開いた状態となったときに位置する第２の位置との間で移動可能に構成され、
前記扉体又は前記遊技機本体のうち前記可動部が設けられた一方は、前記可動部を前記第２の位置側に付勢する緩衝付勢手段を備え、
前記鉤部材又は前記受部材のうち前記施錠位置と前記解錠位置との間で移動可能に設けられた一方が前記閉鎖許容位置よりも前記施錠位置側に位置する状態において開状態にある前記扉体を閉じていくことで、前記扉体又は前記遊技機本体のうち一方に設けられた前記可動部と他方とが接触し、当該接触状態からさらに前記扉体に対してその閉方向に力を加えることで、前記可動部が前記他方に押されて前記第２の位置から前記第１の位置側に移動することを特徴とする遊技機。
【００１０】
手段１によれば、錠部材の解錠操作を行わずに開状態にある扉体を閉方向に移動させる場合には、鉤部材と受部材とが接触して扉体の閉方向への移動が規制される。従って、錠部材の解錠操作を行わなければ扉体を押しても閉鎖することができないため、扉体が不正開放されたことを発見しやすくなる。結果として、扉体の不正開放、ひいては、扉体と遊技機本体との間から遊技機内部に対して行われる不正行為等を抑制することができる。
【００１１】
また、鉤部材又は受部材のうち施錠位置と解錠位置との間で移動可能に設けられた一方が閉鎖許容位置よりも施錠位置側にあるとき、すなわち扉体を閉鎖できない状態のときには、開状態にある扉体を閉方向に移動させると、第２の位置にある可動部と、扉体又は遊技機本体のうち可動部が設けられていない前記他方とが接触することとなる。当該接触状態からさらに扉体に対してその閉方向に力を加える（可動部と前記他方とを圧接する）ことで、可動部が前記他方に押されて第２の位置から第１の位置側へと移動する。この可動部は、緩衝付勢手段により第２の位置側に付勢されており、該可動部が第２の位置から第１の位置側に移動する際には、前記他方を押し返そうとする力が作用することとなる。これにより、扉体を閉状態とすることができないときの扉体と遊技機本体との圧接に際して発生する力を吸収することができる。従って、鉤部材と受部材とが接触して扉体の閉方向への移動が規制されたときに、鉤部材及び受部材に付加される力を緩和することができ、鉤部材及び受部材が変形したり損傷したりしてしまうことを防止することができる。
【００１２】
さらには、鉤部材と受部材との衝突に起因する衝撃を吸収・緩和することができるため、かかる衝撃が鉤部材及び受部材以外の部材にも伝達してしまうといったおそれを抑制することができる。従って、例えば、前記衝撃によって扉体や遊技機本体を構成する樹脂製の部材が損傷したり、制御基板に支障が生じたりしてしまうといったおそれ等を防止することができる。
【００１３】
尚、「前記鉤部材又は前記受部材のうち一方は、当該一方が設けられた前記扉体又は前記遊技機本体に対して相対移動可能に設けられた可動部を備え」ることとしてもよい。例えば、扉体又は遊技機本体の一方に対し、当該一方に設けられる鉤部材又は受部材とは別の箇所に可動部を設ける場合には、錠部材の解錠操作を行っても行わなくても、扉体を閉じる際には、必ず扉体又は遊技機本体の一方に設けられた可動部が他方に接触することとなる。このため、錠部材の解錠操作を行って扉体を閉鎖する際に、可動部を緩衝付勢手段の付勢力に抗して第２の位置から第１の位置側に移動させる力が必要となる。
【００１４】
これに対し、可動部を鉤部材又は受部材に設けることで、錠部材の解錠操作を行い、扉体を閉鎖できるときには、鉤部材又は受部材のうち一方に設けられた可動部が他方に接触しない構成とすることができる。つまり、「前記可動部は、前記鉤部材又は前記受部材のうち前記施錠位置と前記解錠位置との間で移動可能に設けられた一方が前記閉鎖許容位置よりも施錠位置側に位置する状態にあるときに、前記鉤部材又は前記受部材のうち前記可動部が設けられていない他方と接触し得る位置に配置されるとともに、前記可動部は、前記鉤部材又は前記受部材のうち前記施錠位置と前記解錠位置との間で移動可能に設けられた一方が前記閉鎖許容位置にあるときには、前記鉤部材又は前記受部材のうち前記可動部が設けられていない他方と接触しない位置に配置される」といった構成を採用することができる。従って、扉体を閉鎖できない状態のときには、鉤部材又は受部材のうち一方に設けられた可動部が他方に接触し第２の位置から第１の位置側に移動することで鉤部材と受部材との圧接に起因する力を吸収し、扉体を閉鎖できる状態のときには、鉤部材又は受部材のうち一方に設けられた可動部が他方（扉体又は遊技機本体のうち可動部が設けられていない他方）に接触することなく、従って、可動部（緩衝付勢手段）から扉体を押し返そうとする力を受けることなく、扉体を閉鎖することができる。結果として、錠部材の解錠操作を行って扉体を閉方向に移動させる場合には、扉体をスムースに閉鎖することができる。
【００１５】
また、扉体の閉方向への移動が規制された状態としては、例えば、緩衝付勢手段による付勢力によって扉体を閉状態とすることができないときの扉体と遊技機本体との圧接に際して発生する力が全て吸収された状態（この場合、可動部が第１の位置となる前に支持部の爪部側への相対移動が止まる）、又は、扉体又は遊技機本体のうち可動部が設けられた一方に設けられた鉤部材又は受部材に対し、可動部が第２の位置から第１の位置となったときに扉体又は遊技機本体のうち可動部が設けられていない他方に設けられた受部材又は鉤部材に接触して扉体の閉方向への移動を規制する移動規制部を設ける場合において、鉤部材又は受部材のうち一方に設けられた移動規制部に対して他方が接触した状態、又は、鉤部材又は受部材のうち一方が可動部を備え、扉体又は遊技機本体のうち可動部を備える鉤部材又は受部材が設けられた一方に対し、可動部が第２の位置から第１の位置となった際に可動部に接触して当該可動部のそれ以上の移動を規制するストッパー部を設ける場合において、該ストッパー部に可動部が接触した状態等が挙げられる。加えて、錠部材としては、鍵が挿入されて回動操作されるシリンダ錠や、カード状の鍵が挿入されるカードキー等が挙げられる。
【００１６】
尚、「前記可動部は、前記鉤部材又は前記受部材のうち前記施錠位置と前記解錠位置との間で移動可能に設けられた一方が前記閉鎖許容位置よりも施錠位置側に位置する状態にあるときに、前記扉体又は前記遊技機本体のうち前記可動部が設けられていない他方と接触し得る位置に配置される」とあるのは、前記一方が閉鎖許容位置にある状態で扉体に対してその閉方向に力を加えた場合、鉤部材と受部材とが接触して扉体が所定角度開いた状態でその閉方向への移動が規制される状態となる前に、扉体又は遊技機本体のうち一方に設けられた可動部が他方と必ず接触するといった意味が含まれる。但し、扉体が大きく開放されている状態においては、扉体又は遊技機本体のうち一方に設けられた可動部は他方と接触しない。
【００１７】
尚、本手段においては、鉤部材又は受部材のどちらか一方だけが、当該一方が取着される扉体又は遊技機本体に対して移動可能に構成される場合だけでなく、鉤部材及び受部材の両方が、それぞれが取着される扉体又は遊技機本体に対して移動可能に構成される場合についても含む趣旨である。つまり、施錠位置、解錠位置、閉鎖許容位置とは、前記鉤部材又は前記受部材のうち一方の他方に対する相対的な位置である。また、錠部材の解錠操作に連動して鉤部材又は受部材のどちらか一方だけが移動する構成としてもよいし、錠部材の解錠操作に連動して鉤部材及び受部材の両方が移動する構成としてもよい。後者の構成を採用する場合には、鉤部材及び受部材の両方を（それぞれに対応する）付勢手段によって、爪部に係止状態にある支持部が爪部から離脱する方向とは反対方向側（施錠位置側）に付勢してもよい。尚、この場合、鉤部材に作用する付勢力と受部材に作用する付勢力とは反対向きである。
【００１８】
尚、閉鎖許容位置とは、鉤部材のうち扉体に対してその閉方向に力を加えても扉体を閉鎖できない状態のとき（鉤部材又は受部材のうち施錠位置と解錠位置との間で移動可能に設けられた一方が閉鎖許容位置よりも施錠位置側にあるとき）に可動部が第１の位置となった際に支持部（受部材）が接触し得る部位（規制壁部）と支持部とが接触する状態から、支持部が規制壁部を乗り越えて扉体を閉鎖できる状態のとき（鉤部材又は受部材のうち移動可能に設けられた一方が閉鎖許容位置にあるとき）に扉体に対して力を加えることで支持部が接触（摺接）し得る部位（案内辺部）と支持部とが接触する状態へと切替わるときの、鉤部材又は受部材のうち施錠位置と解錠位置との間で移動可能に設けられた一方の位置である。
【００１９】
例えば、規制壁部と案内辺部との境界部が尖っている場合であって、かつ、支持部のうち、その先端部（先端面）と接触面（前記鉤部材又は前記受部材のうち施錠位置と解錠位置との間で移動可能に設けられた一方が閉鎖許容位置よりも施錠位置側にある状態において開状態にある扉体を閉方向に移動させることで鉤部材の規制壁部と接触する面）との境界部（以下、支持部のコーナー部と称する）が尖っている場合には、鉤部材又は受部材のうち施錠位置と解錠位置との間で移動可能に設けられた一方の移動方向において、支持部のコーナー部が、規制壁部と案内辺部との境界部と同じ高さ位置となるときの、鉤部材又は受部材のうち施錠位置と解錠位置との間で移動可能に設けられた一方の位置が閉鎖許容位置である。尚、支持部が先鋭状に構成され、接触面と係止面とが先端部で連続している（接している）場合には、鉤部材又は受部材のうち施錠位置と解錠位置との間で移動可能に設けられた一方の移動方向において、支持部の接触面と係止面との境界部（先端部）が、規制壁部と案内辺部との境界部と同じ高さ位置となるときの、鉤部材又は受部材のうち施錠位置と解錠位置との間で移動可能に設けられた一方の位置が閉鎖許容位置である。
【００２０】
また、規制壁部と案内辺部との境界部は必ずしも尖っていなくてもよく、曲線上の一点が、規制壁部から案内辺部へと切替わる点となる場合もある。つまり、規制壁部と案内辺部との境界部をＲ加工した場合には、該Ｒ加工されて湾曲した境界部上の一点を境に、当該境界部に接触する支持部に対して爪部側に力を加えた際に、該支持部を爪部側に移動することができたりできなかったりすることがある。この場合には、前記境界部上の一点よりも爪部の先端部側の部位については案内辺部である。従って、鉤部材又は受部材のうち施錠位置と解錠位置との間で移動可能に設けられた一方の移動方向において、支持部のコーナー部が、規制壁部から案内辺部へと切替わる点（前記境界部上の一点）と同じ高さ位置となるときの、鉤部材又は受部材のうち施錠位置と解錠位置との間で移動可能に設けられた一方の位置が閉鎖許容位置である。
【００２１】
さらに、前記支持部のコーナー部は必ずしも尖っていなくてもよく、曲線上の一点が、支持部の先端面から接触面へと切替わる点となる場合もある。この場合、鉤部材又は受部材のうち施錠位置と解錠位置との間で移動可能に設けられた一方の移動方向において、支持部の先端面から接触面へと切替わる点が、規制壁部から案内辺部へと切替わる点（前記境界部上の一点）と同じ高さ位置となるときの、鉤部材又は受部材のうち施錠位置と解錠位置との間で移動可能に設けられた一方の位置が閉鎖許容位置である。
【００２２】
尚、規制壁部と案内辺部との境界部や支持部のコーナー部をＲ加工した場合には、前記境界部と支持部との接触に際して、前記境界部や支持部が損傷してしまうといったおそれを抑制することができる。また、規制壁部及び案内辺部は同一の部材が有することとしてもよいし、規制壁部を有する部材とは別に案内辺部を有する部材が存在することとしてもよい。
【００２３】
手段２．前記鉤部材は、前記扉体又は前記遊技機本体のうち一方から他方側に向けて延びる鉤本体を備え、前記爪部は前記鉤本体と一体形成され、
前記可動部は、前記扉体又は前記遊技機本体のうち前記鉤部材が設けられている一方に対して相対移動可能に設けられていることを特徴とする手段１に記載の遊技機。
【００２４】
手段２によれば、扉体又は遊技機本体のうち鉤部材が設けられる一方に可動部が設けられている。可動部は、鉤部材と受部材とが圧接したときに第２の位置から第１の位置側へと移動して、圧接に際して発生する力を吸収するといったものであるため、扉体の開閉方向において所定のスペースを必要とする。さらに、鉤部材は、支持部を係止するための爪部を有するため、支持部よりも扉体の開閉方向において長さを必要とする。このため、例えば、扉体又は遊技機本体のうち受部材が設けられる他方に可動部を設ける場合には、扉体又は遊技機本体のうち鉤部材が設けられる一方側において施錠手段の設置に必要とするスペースと、受部材が設けられる他方側において施錠手段の設置に必要とするスペースとが両方とも扉体の開閉方向に大きくなってしまうことが懸念される。
【００２５】
これに対し、本手段によれば、扉体又は遊技機本体のうち鉤部材が設けられる一方に可動部が設けられているため、受部材が設けられる他方側に必要とされる施錠手段の設置スペースが扉体の開閉方向において大きくなってしまうといった事態を回避することができる。このため、受部材が設けられる他方に可動部を設けるよりも、本手段のように鉤部材が設けられる一方に可動部を設ける方が施錠手段の設置のために必要とするスペースを小さくすることができる。結果として、遊技機の大型化を防止できたり、遊技機の内部スペースの有効利用を図ることができたりする。
【００２６】
尚、「前記可動部は前記鉤本体に対して相対移動可能に設けられていること」としてもよい。この場合にも、手段２と同様の作用効果が奏される。また、例えば、可動部が鉤部材に設けられる場合（鉤部材が可動部を備える場合）、可動部に爪部を設けることも考えられるが、この場合には、支持部が爪部に係止された状態において扉体に対し開方向への力が加えられた際に、鉤部材に対して可動部を相対移動可能に接続する接続部に大きな力が付加され、接続部が損傷してしまうおそれがある。これに対し、爪部を鉤本体に設けることで、接続部の高剛性化や大型化等を招くことなく上記おそれを回避することができる。
【００２７】
手段３．前記可動部は前記鉤本体に対して相対移動可能に設けられ、
前記支持部は、前記鉤部材又は前記受部材のうち前記施錠位置と前記解錠位置との間で移動可能に設けられた一方が前記閉鎖許容位置よりも施錠位置側にある状態において開状態にある前記扉体を閉方向に移動させることで前記可動部と接触する接触面を有し、
前記鉤本体は、前記可動部が前記第１の位置となったときに前記接触面と接触し、前記支持部の前記爪部側への移動を規制する移動規制部を有することを特徴とする手段２に記載の遊技機。
【００２８】
手段３によれば、可動部が第２の位置から第１の位置へと移動するまでの間に、鉤部材と受部材との圧接に際して発生する力を吸収しきれなかった（弱めることしかできなかった）場合には、支持部が鉤本体の移動規制部と接触することで、扉体の閉方向への移動が規制されることとなる。
【００２９】
本手段のように、可動部が鉤部材に設けられる場合（鉤部材が可動部を備える場合）には、例えば、可動部が第１の位置となったときに該可動部と接触し、可動部のそれ以上の鉤本体の基端部側への移動を規制するストッパー部を鉤部材に設け、可動部が第１の位置にある状態においても当接部が鉤本体の先端部から突出するといった構成を採用することも考えられる。この場合、可動部が第２の位置から第１の位置へと移動するまでの間に鉤部材と受部材との圧接に起因する力を吸収しきれなかった場合には、可動部とストッパー部とが接触することで、支持部のそれ以上の爪部側への相対移動が規制されることとなる。しかしながら、この場合、可動部に対してより大きな力が付加されてしまうおそれがある。これに対し、本手段のように、可動部が第１の位置となったときに、支持部が鉤本体の移動規制部と接触するといった構成を採用することで、可動部に大きな力が付加されるといった事態を回避することができる。このため、可動部が変形等してしまうといったおそれを抑制することができる。従って、可動部の剛性をそれ程必要としなくなるため、可動部の薄肉化、ひいては施錠手段の小型化を図ることができる。
【００３０】
尚、可動部に対して第１の位置側に力を加えることで、可動部のうち支持部の接触面と接触する当接部が鉤本体の移動規制部よりも鉤本体の基端部側に位置するまで移動できる構成であっても、支持部は移動規制部と接触した時点でそれ以上の爪部側への相対移動が規制されるため、第１の位置は、扉体の開閉方向において、当接部と移動規制部とが同じ位置となったときの可動部の位置である。
【００３１】
手段４．前記可動部は前記鉤本体に対して前記扉体の開閉方向に沿ってスライド可能に構成され、
前記支持部は、前記鉤部材又は前記受部材のうち前記施錠位置と前記解錠位置との間で移動可能に設けられた一方が前記閉鎖許容位置よりも施錠位置側にある状態において開状態にある前記扉体を閉方向に移動させることで前記可動部と接触する接触面を有し、
前記可動部のうち前記支持部の前記接触面と接触する当接部は、前記扉体の開閉方向と略直交して、又は、前記当接部のうち前記爪部側の一端部よりも他端部の方が前記鉤本体の基端部側に位置するようにして延び、
前記支持部の前記接触面は、前記扉体の開閉方向と略直交して、又は、前記接触面のうち先端側の部位が基端側の部位よりも前記扉体の開閉方向において前記鉤部材の基端部側に位置するようにして延びることを特徴とする手段２又は３に記載の遊技機。
【００３２】
例えば、当接部のうち爪部側の一端部が他端部よりも鉤本体の基端部側に位置する場合、又は、支持部の接触面のうち、先端側の部位よりも基端側の部位の方が扉体の開閉方向において鉤部材の基端側に位置する場合には、可動部が支持部に押されて第２の位置から第１の位置に移動するまでの間に、当接部又は接触面に案内されるようにして、支持部が当接部から外れる方向に相対移動してしまうことが懸念される。このように第２の位置から第１の位置に移動するまでの間に支持部が相対移動してしまうと、鉤部材と受部材との接触に際して発生する力を吸収するといった作用効果が十分に奏されなくなるおそれがある。この点、本手段４の構成を採用することで、第２の位置から第１の位置に移動するまでの間に支持部が当接部から外れる方向に相対移動してしまうといったおそれを防止することができる。従って、鉤部材と受部材との接触に際して発生する力を確実に吸収することができる。
【００３３】
尚、接触面のうち先端側の部位とは、支持部が爪部に係止された状態において、爪部の基端部側に位置する部位であり、接触面のうち基端側の部位とは、前記先端側の部位よりも爪部の先端部側に位置する部位である。また、例えば、可動部の当接部と支持部の接触面との傾斜角度を同じくしてもよい。この場合には、当接部と支持部との接触面積を極力大きくすることができ、当接部と支持部との圧接に際し、可動部（の角部）や支持部（の角部）が損傷する等して耐久性が低下してしまうといったおそれを抑制することができる。
【００３４】
手段５．固定枠の左右一側部に対し開閉可能に支持される扉体と、
前記固定枠の左右他側部において前記扉体を前記固定枠に施錠する施錠手段とを備え、
前記施錠手段は、
施錠状態にある前記扉体を開放可能な解錠状態とする際に所定の解錠操作が行われる錠部材と、
前記扉体又は前記固定枠のうち一方側に設けられた鉤部材、及び、他方側に設けられ、前記扉体の閉状態において前記鉤部材と係合する受部材とを備え、
前記鉤部材は、前記扉体の閉状態において前記受部材に設けられた前記支持部を係止する係止辺部を有する爪部を備え、
前記鉤部材は、前記錠部材の解錠操作に連動して、前記支持部が前記爪部に係止されて前記扉体の開放を規制する施錠位置から、前記扉体の開放を許容する解錠位置へと摺動し、
前記錠部材の解錠操作が行われ、前記鉤部材が、前記扉体に対してその閉方向に力を加えることによって前記鉤部材と前記受部材とが接触することなく、又は、前記鉤部材と前記受部材とが摺接して前記扉体の閉方向への移動が許容される閉鎖許容位置にある場合には、開状態にある前記扉体に対してその閉方向に力を加えることで、前記扉体を閉状態とすることができ、
前記鉤部材が前記閉鎖許容位置よりも前記施錠位置側にある場合には、開状態にある前記扉体に対してその閉方向に力を加えても、前記鉤部材と前記受部材とが接触して前記扉体が所定角度開いた状態でその閉方向への移動が規制される構成であって、
前記鉤部材は、少なくとも前記施錠位置にあるときには、
前記鉤部材と前記受部材とが接触して前記扉体が所定角度開いた状態で前記扉体の閉方向への移動が規制されるときの位置である第１の位置と、前記第１の位置にあるときよりも前記扉体が開いた状態となったときに位置する第２の位置との間で回動可能に構成され、
前記施錠手段は、前記鉤部材を前記施錠位置側に付勢するとともに前記第２の位置側に付勢する付勢手段を備え、
前記鉤部材が前記閉鎖許容位置よりも前記施錠位置側に位置する状態において開状態にある前記扉体を閉じていくことで、前記鉤部材と前記支持部とが接触し、当該接触状態からさらに前記扉体に対してその閉方向に力を加えることで、前記鉤部材が前記支持部に押されて前記第２の位置から前記第１の位置側に回動することを特徴とする遊技機。
【００３５】
手段５によれば、鉤部材が閉鎖許容位置よりも施錠位置側に位置する状態においては、開状態にある扉体を閉鎖しようとしても閉鎖することができなくなっている。このため、扉体が不正開放されたことを発見しやすくなり、結果として、扉体を不正に解錠し、扉体裏側に設けられた制御機器を不正に操作したり交換したりする等して、多くの遊技媒体を獲得するといった不正行為を抑制することができる。
【００３６】
また、鉤部材は、所定の姿勢を保ちつつ施錠位置と解錠位置との間で摺動するだけでなく、少なくとも施錠位置において第１の位置と第２の位置との間で回動可能となっている。さらに、付勢手段によって、鉤部材は施錠位置側に付勢されるだけでなく第２の位置側にも付勢されている。このため、鉤部材が閉鎖許容位置よりも施錠位置側に位置する状態において開状態にある扉体を閉じていく場合には、鉤部材と受部材（支持部）とが接触し、該接触状態からさらに扉体に対してその閉方向に力を加えることで、鉤部材が付勢手段による付勢力に抗して第２の位置から第１の位置へと回動する。従って、鉤部材が受部材に押されて第２の位置から第１の位置側に移動する際には、受部材を押し返そうとする力が作用することとなる。これにより、可動部と支持部との圧接に際して発生する力を吸収することができる。従って、鉤部材及び受部材に付加される力を緩和することができ、鉤部材及び受部材が変形したり損傷したりしてしまうことを防止することができる。
【００３７】
また、本手段では、施錠位置と解錠位置との間で鉤部材を摺動させ、固定枠に対する扉体の施錠・解錠を行うといった構成に対し、少なくとも施錠位置にある鉤部材を回動可能に構成するとともに、該鉤部材を第２の位置側にも付勢するように付勢手段の取付位置を設定することで、可動部と支持部との圧接に際して発生する力を吸収する構成としている。このため、特に、部品点数を増やしたり、構成の複雑化を招いたりすることなく、鉤部材と受部材との圧接に際して発生する力を吸収するといった作用効果を得ることができる。
【００３８】
手段６．前記鉤部材は、前記扉体又は前記固定枠のうち一方に対して摺動可能かつ回動可能に取付けられる鉤部材本体と、前記鉤部材本体のうち当該鉤部材本体の回動中心位置よりも前記鉤部材の解錠位置側の部位から他方側に向けて延びる延出部とを備え、前記爪部は前記延出部に突設され、
前記支持部は、前記鉤部材が前記閉鎖許容位置よりも前記施錠位置側に位置する状態において開状態にある前記扉体を閉方向に移動させることで、前記爪部及び前記延出部のうち前記鉤部材の回動中心位置よりも前記鉤部材の解錠位置側の部位である規制壁部と接触する接触面を有し、
前記第２の位置にある前記鉤部材の前記規制壁部と前記支持部とが接触した状態からさらに前記扉体に対してその閉方向に力を加えることで、前記鉤部材が前記第１の位置側に回動し、
前記施錠手段は、前記第１の位置にある前記鉤部材を解錠位置側へ移動させた場合に、前記鉤部材が前記閉鎖許容位置となる前に前記鉤部材と接触してそれ以上の解錠位置側への移動を規制する規制手段を備えていることを特徴とする手段５に記載の遊技機。
【００３９】
手段６によれば、爪部や延出部等の扉体の開閉方向において鉤部材の回動中心位置から外れた部位を押圧し、鉤部材を解錠位置側に動かして扉体を不正解錠しようとした場合には、鉤部材が第１の位置側に回動することとなる。さらに、鉤部材が第１の位置にあるときには、鉤部材を解錠位置側に移動させようとしても、鉤部材と規制手段とが接触して鉤部材の解錠位置側への移動が規制されることとなる。このため、扉体を不正に解錠し、扉体裏側に設けられた制御機器を不正に操作したり交換したりする等して、多くの遊技媒体を獲得するといった不正行為をより確実に抑制することができる。
【００４０】
手段７．前記鉤部材が前記第２の位置から前記第１の位置へと回動したときに当該鉤部材と接触し、前記鉤部材のそれ以上の回動を規制する第１規制部と、
前記鉤部材が前記第１の位置から前記第２の位置へと回動したときに当該鉤部材と接触し、前記鉤部材のそれ以上の回動を規制する第２規制部とを備えることを特徴とする手段５又は６に記載の遊技機。
【００４１】
手段７によれば、第１の位置から第２の位置へと回動する鉤部材は、第２規制部によって第２の位置よりも大きく回動しないようになっている。このため、鉤部材と支持部とが接触したときに、鉤部材がスムースに第１の位置側に回動するように、支持部に対する鉤部材（接触部位）の接触角度を所期の角度に保つことができる。
【００４２】
さらに、鉤部材と受部材との圧接に起因して発生する力のうち、鉤部材が第１の位置となるまでに付勢手段によって吸収しきれなかった分は、鉤部材が第１規制部に接触することよって受け止められることとなる。従って、扉体の閉方向への移動を確実に規制することができる。
【００４３】
以下に、上記各手段が適用される各種遊技機の基本構成を示す。
【００４４】
Ａ．上記各手段における前記遊技機は弾球遊技機であること。より詳しい態様例としては、「遊技者が操作する始動操作手段（遊技球発射ハンドル）と、当該指導操作手段の操作に基づいて遊技球を弾いて発射する球発射手段（発射モータ、発射ソレノイド等）と、当該発射された遊技球を所定の遊技領域に導く球通路（レールユニットの球案内通路）と、前記遊技領域内に配置された各遊技部品（一般入賞口、可変入賞装置、作動口、可変表示ユニット等）とを備え、前記遊技領域を流下する遊技球の挙動を視認可能に構成されてなる弾球遊技機。」が挙げられる。
【００４５】
Ｂ．上記各手段における前記遊技機は、可変表示装置を備えた弾球遊技機であること。より詳しい態様例としては、「遊技者が操作する始動操作手段（遊技球発射ハンドル）と、当該指導操作手段の操作に基づいて遊技球を弾いて発射する球発射手段（発射モータ、発射ソレノイド等）と、当該発射された遊技球を所定の遊技領域（例えば遊技領域は遊技盤面等により構成される）に導く球通路（レールユニットの球案内通路）と、前記遊技領域内に配置された作動口、可変表示装置及び可変入賞装置とを備え、前記作動口へ遊技球の入賞が検知されることに基づいて、前記可変表示装置に表示される識別情報（図柄）を変動表示せしめ、所定時間後停止表示させるとともに、停止表示された識別情報（図柄）が特定態様である場合に前記可変表示装置を所定態様で開放させるように構成した弾球遊技機」が挙げられる。
【００４６】
Ｃ．上記各手段における前記遊技機、又は、上記各弾球遊技機は、パチンコ機又はパチンコ機に準ずる遊技機であること。
【００４７】
Ｄ．上記各手段における遊技機は、スロットマシン等の回胴式遊技機であること。より詳しい態様例としては、「複数の識別情報の付された複数の回転体を回転させた後に識別情報を確定停止表示する可変表示装置を備え、始動操作手段（具体的にはスタートレバー）の操作に起因して回転体の回転が開始され、停止操作手段（具体的にはストップボタン）の操作に起因して（又は所定時間経過することにより）回転体が停止され、その停止時に有効ライン上に揃った識別情報が特定の識別情報であることを条件に遊技媒体が付与されるよう構成した回胴式遊技機」が挙げられる。
【００４８】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報の付された複数の回転体を回転させた後に識別情報を確定停止表示する可変表示装置を備え、始動操作手段（具体的にはスタートレバー）の操作に起因して回転体の回転が開始され、停止操作手段（具体的にはストップボタン）の操作に起因して（又は所定時間経過することにより）回転体が停止され、その停止時に有効ライン上に揃った識別情報が特定の識別情報であることを条件に遊技球が付与されるよう構成し、さらに球受皿（上皿等）を設けてその球受皿から遊技球を取り込む投入処理を行う投入装置と、前記球受皿に遊技球の払出しを行う払出装置とを備え、前記投入装置により遊技球が投入されることにより前記始動操作手段の操作が有効となるように構成した遊技機」が挙げられる。
【発明を実施するための最良の形態】
【００４９】
以下、パチンコ遊技機（以下、単に「パチンコ機」という）の一実施形態を、図面に基づいて詳細に説明する。図１はパチンコ機１０の正面図である。図２は、外枠１１と内枠１２とに対して、前面枠セット１４及び下皿ユニット１３を開放した状態を示す斜視図である。図３は外枠を示す斜視図である。図４は、パチンコ機１０より前面枠セット１４を取外した状態を示す正面図である。但し、図２では、遊技盤３０及びガラスユニット１３７を省略して示している。また、図４では、遊技盤３０面上の遊技領域内の構成を空白で示している。
【００５０】
図１、図２等に示すように、パチンコ機１０は、当該パチンコ機１０の外郭を構成する外枠１１を備えており、この外枠１１の一側部に内枠１２が開閉可能に支持されている。外枠１１は、例えば木製の板材により全体として矩形状に構成され、小ネジ等の離脱可能な締結具により各板材が組み付けられている。内枠１２は、パチンコ機１０の正面から見て左側に上下に延びる開閉軸線を軸心に、前方側に開放できるようになっている。
【００５１】
ここで、外枠１１について図３を参照しつつ説明する。外枠１１の左辺部には、上ヒンジ８１及び下ヒンジ８２が設けられている。当該上ヒンジ８１及び下ヒンジ８２にて、内枠１２の上下部が回動可能に支持されており、これにより内枠１２が開閉可能に支持されている。また、外枠１１の右辺部には、後述する施錠装置Ｇ１の内枠鉤部材１９２，１９３に対応して、上下一対の爪馬８３，８４が取付固定されている。爪馬８３，８４は、その先端部が後側に向けて略直角に折り曲げられることにより所謂折り返し部８３ａ，８４ａを備えている。
【００５２】
さらに、本実施形態における外枠１１下部には、樹脂製の幕板飾り８５が取着されている。幕板飾り８５上面には、金属製の滑り部材８６，８７が設けられ、これにより内枠１２開閉時における摺動の円滑性が確保されている。また、幕板飾り８５の上面奥部には、上方に突出するリブ８８が一体形成されている。該リブ８８の上端には前面側に屈曲形成された図示しない返し部が一体形成されており、これにより内枠１２との間に隙間が形成されにくくなっている。また、外枠１１の内面には、内枠１２を閉状態とする際に、内枠１２の背面側に設けられた金具類等の外枠１２内側への挿通を許容するべく、切欠き部８９が形成されている。
【００５３】
図１、図２の説明に戻り、内枠１２には、その最下部に下皿ユニット１３が開閉可能に取付けられているとともに、下皿ユニット１３を除く範囲に対応して、前面枠セット１４が開閉可能に取付けられている。下皿ユニット１３及び前面枠セット１４は、内枠１２と同様に、パチンコ機１０の正面から見て左側に上下に延びる開閉軸線を軸心に、前方側に開放できるようになっている。
【００５４】
下皿ユニット１３には、ほぼ中央部に球受皿としての下皿１５が設けられ、排出口１６より排出された遊技球が下皿１５内に貯留可能になっている。尚、符号２４はスピーカＳＰからの音出力口であり、符号２５は下皿１５内から遊技球を下方へと排出する球抜きレバーである。本実施形態では、スピーカＳＰは、音出力口２４の直裏面側に設けられている（図２参照）。
【００５５】
下皿１５よりも右方には、手前側に突出して遊技球発射ハンドル（以下単に「ハンドル」という）１８が配設されている。また、下皿１５の左方には、灰皿２６が設けられている。尚、ハンドル１８には、図示しないタッチセンサや、ハンドル１８の操作部の操作量を検出するための図示しない操作量検出手段（電気抵抗の変化を検出することで操作量を検出できるようになっている）が設けられている。
【００５６】
一方、下皿１５の上方においては、上皿１９が前面枠セット１４に対し一体的に設けられている。上皿１９は、遊技球を一旦貯留し、一列に整列させながら遊技球発射装置（球発射手段）の方へ導出する球受皿である。尚、上皿１９から溢れる遊技球は、後記するファール球通路６３、球排出部２９、及び排出口１６を介して下方側に案内されて下皿１５に貯留される（図４参照）。
【００５７】
図４等に示すように、内枠１２は、外形が矩形状の樹脂ベース２０を主体に構成されており、樹脂ベース２０の中央部には略円形状の窓孔２１が形成されている。樹脂ベース２０の後側には遊技盤３０（図５参照）が着脱可能に装着されている。遊技盤３０は四角形状の合板よりなり、その周縁部が樹脂ベース２０（内枠１２）の裏側に当接した状態で取着されている。従って、遊技盤３０の前面部の略中央部分が樹脂ベース２０の窓孔２１を通じて内枠１２の前面側に露出した状態となっている。なお、樹脂ベース２０には、前面枠セット１４の開放を検知する開放検知センサ２２が設けられている。また、図示しないが内枠１２の開放を検知する開放検知スイッチも設けられている。
【００５８】
尚、本実施形態では、開放検知センサ２２又は開放検知スイッチによって前面枠セット１４又は内枠１２の開放が検知された場合には、当該検知情報に基づいて、前面枠セット１４の前面に設けられたエラー表示ランプ１０６が点灯制御されるとともに、ホールが管理するホールコンピュータに繋がるケーブルを介して、前面枠セット１４又は内枠１２が開放された旨の信号がホールコンピュータに出力されるようになっている。また、後述する装飾図柄表示装置４２における表示態様やスピーカＳＰから出力される音声によって、前面枠セット１４又は内枠１２が開放された旨を報知してもよい。
【００５９】
尚、内枠１２の前面側には、その周囲（前面枠セット１４に対応する部分）においてリブＲ１が突設されている。そして、前面枠セット１４の閉時には、前面枠セット１４がリブＲ１の内側に嵌まり込んだ状態となる（図２２参照）。この構成により、前面枠セット１４と内枠１２との間から針金等を侵入させることが困難となり、不正防止の役割を果たす。
【００６０】
次に、遊技盤３０の構成について図５を用いて説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、後述する検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球はこのアウト口３６を通って図示しない球排出路の方へと案内されるようになっている。また、遊技盤３０には、遊技球の落下方向を適宜分散、調整等するために多数の釘が植設されているとともに、風車２７等の各種部材（役物）が配設されている。
【００６１】
可変表示装置ユニット３５には、第２契機対応口３４の通過をトリガとして普通図柄を変動表示する普通図柄表示装置４１と、第１契機対応口３３への入賞をトリガとしてＬＥＤを色換え表示（変動表示）する特別表示装置４３と、特別表示装置４３による変動表示に合わせて装飾図柄を変動表示する可変表示装置としての装飾図柄表示装置４２とが設けられている。
【００６２】
普通図柄表示装置４１は、普通図柄として「○」又は「×」を点灯表示可能に構成されており、遊技球が第２契機対応口３４を通過する毎に例えば普通図柄を「○」→「×」→「○」→・・・という具合に高速で切換表示（変動表示）し、その変動表示が「○」図柄（当選図柄）で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１による普通図柄の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００６３】
なお、普通図柄は、複数のランプの点灯態様を切換えることにより変動表示される構成の他、装飾図柄表示装置４２（液晶表示装置）の一部で変動表示される構成等であってもよい。保留ランプ４４も同様に、装飾図柄表示装置４２の一部で表示される構成であってもよい。
【００６４】
特別表示装置４３は、普通図柄表示装置４１の普通図柄の右側方に設けられ、赤、緑、青の発光色を有する三色発光ダイオード（三色ＬＥＤ）により構成されている。この特別表示装置４３についても、主制御装置２６１によって表示内容が直接的に制御される。本実施形態では、この特別表示装置４３によって大当たりか否かが確定的に表示されるようになっている。
【００６５】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。なお、本実施形態では、装飾図柄表示装置４２は８インチサイズの液晶ディスプレイを備える。また、可変表示装置ユニット３５には、装飾図柄表示装置４２を囲むようにしてセンターフレーム４７が配設されている。
【００６６】
可変入賞装置３２は、通常は遊技球が入賞できない又は入賞し難い閉状態になっており、大当たり（特別遊技状態の発生）の際に、遊技球が入賞しやすい開状態とされる。より詳しくは、第１契機対応口３３に対し遊技球が入賞すると、特別表示装置４３は、３色ＬＥＤを赤→緑→青→赤→・・・という具合に高速で色換え表示（変動表示）し、所定時間が経過すると、いずれかの色に決定表示する。高速の色換え表示とは、例えば４ｍｓｅｃ毎に赤、緑、青を順番に表示するという具合である。このとき、大当たり抽選に当選したことを意味する赤又は緑で決定表示（例えば数秒間停止）されると、大当たり状態が発生する。また、特別表示装置４３が３色ＬＥＤを赤又は緑で決定表示する場合、これを受けて、装飾図柄表示装置４２には、特定の図柄の組合わせが補助的に表示されることになる。そして、可変入賞装置３２の大入賞口が所定の開放状態となり、遊技球が入賞しやすい状態（大当たり状態）になるよう構成されている。具体的には、所定時間の経過又は所定個数の入賞を１ラウンドとして、可変入賞装置３２の大入賞口が所定回数（所定ラウンド数）繰り返し開放される。
【００６７】
また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００６８】
また、遊技盤３０には、遊技球発射装置から発射された遊技球を遊技盤３０上部へ案内するレール部材としてのレールユニット５０が取り付けられており、ハンドル１８の回動操作に伴い発射された遊技球はレールユニット５０を通じて所定の遊技領域に案内されるようになっている。レールユニット５０は内レール構成部５１と外レール構成部５２とを有する。
【００６９】
内レール構成部５１の先端部分（図５の左上部）には戻り球防止部材５３が取着されている。これにより、一旦、内レール構成部５１及び外レール構成部５２間の球案内通路から遊技盤３０の上部へと案内された遊技球が再度球案内通路内に戻ってしまうといった事態が防止される。また、外レール構成部５２には、遊技球の最大飛翔部分に対応する位置（図５の右上部：外レール構成部５２の先端部に相当する部位）に返しゴム５４が取着されている。従って、所定以上の勢いで発射された遊技球は、返しゴム５４に当たって例えば遊技盤３０の略中央部側へ戻される。尚、遊技領域は、レールユニット５０の内周部（内外レール構成部５１，５２）により略円形状に区画された領域である（但し、内外レール構成部５１，５２の並行部分である球案内通路の領域を除く）。
【００７０】
図４の説明に戻り、前記樹脂ベース２０において、窓孔２１（遊技盤３０）の下方には、遊技球発射装置としての遊技球発射ユニット７０が取付けられている。遊技球発射ユニット７０は、樹脂ベース２０に固定された金属製のベース板７１と、ベース板７１に取付けられた発射装置７２と、発射装置７２の先端側において発射装置７２の長手方向に平行に延びるようにしてベース板７１に取付けられた発射レール７３とを備えている。さらに、遊技球発射ユニット７０は、上皿１９側から案内されてくる遊技球を発射レール７３の基端部（図の右端部）に１球ずつ案内するべくベース板７１に取付けられた球送り機構７４と、発射レール７３の基端部上に載置される遊技球を支持して位置決めするべくベース板７１に取付けられた位置決め部材７５とを備えている。
【００７１】
発射レール７３は、発射装置７２より発射された直後に遊技球を案内するためのものであって、所定の発射角度（打ち出し角度）となるよう直線的に延びている。従って、ハンドル１８の回動操作に伴い発射された遊技球は、まずは発射レール７３に沿って斜め上方に打ち出され、その後前述した通りレールユニット５０の球案内通路を通じて所定の遊技領域に案内されるようになっている。
【００７２】
また、本実施形態では、発射装置７２として、従来一般的に採用されていたモータ及び発射槌の組み合わせではなく、リニアソレノイドを採用している。すなわち、発射装置７２は、発射レール７３と平行に延びるプランジャ７６を具備している。そして、発射装置７２が励磁状態と非励磁状態とに交互に切替えられることにより、プランジャ７６が出没することとなる。そして、プランジャ７６の突出の度に、位置決め部材７５によって所定位置に位置決めされた遊技球が発射レール７３から発射されるのである。なお、ハンドル１８の操作量に基づき、プランジャ７６の突出速度が適宜調整され（ストローク量はほぼ一定）、これにより、遊技球の発射速度ひいては飛翔量が調整されるようになっている。
【００７３】
また、発射レール７３とレールユニット５０との間には所定間隔の隙間があり、この隙間より下方にファール球通路６３が形成されている。当該ファール球通路６３は、下皿ユニット１３の閉状態において排出口１６と連通される球排出部２９と連通している。従って、仮に、遊技球発射装置から発射された遊技球が戻り球防止部材５３まで至らずファール球として球案内通路内を逆戻りする場合には、そのファール球がファール球通路６３、球排出部２９、及び排出口１６を介して下皿１５に排出される。
【００７４】
また、図４中の符号６７は上皿１９に通ずる排出口であり、この排出口６７を介して遊技球が上皿１９に排出される。排出口６７には開閉式のシャッタ６８が取り付けられている。当該シャッタ６８は、その下辺部に沿って設けられた軸部を軸心として回動可能となっており、前面枠セット１４を開放した状態（図２の状態）ではバネ等の付勢力によりシャッタ６８が排出口６７をほぼ閉鎖するようになっている。また、前面枠セット１４を閉じた状態（図１の状態）では、当該前面枠セット１４の裏面に設けられた球通路樋６９（図２参照）により、シャッタ６８が押し開けられるようになっており、排出口６７と上皿１９とが連通された状態となる。なお、前面枠セット１４の開放状態（但し、下皿ユニット１３は閉状態）においては、遊技球は下皿１５へ排出されるようになっている。
【００７５】
また、樹脂ベース２０には窓孔２１の左上方において略小判形状の小窓９７が設けられ、小窓９７に対応して遊技盤３０の左上部にも略小判形状の孔部９８（図５参照）が設けられている。そして、後述する前面枠セット１４の環状電飾部１０２等と接続される各種電気配線（図示略）が小窓９７及び孔部９８を通して本パチンコ機１０の背面側から導かれている。
【００７６】
加えて、内枠１２の左端部には、前面枠セット１４及び下皿ユニット１３の支持機構として、支持金具１０１，１０２，１０３が取付けられている。支持金具１０１，１０２にて前面枠セット１４の上下部が回動可能に支持されており、これにより前面枠セット１４が開閉可能に支持されている。また、支持金具１０２，１０３にて下皿ユニット１３の上下部が回動可能に支持されており、これにより下皿ユニット１３が開閉可能に支持されている。
【００７７】
次に、前面枠セット１４について図１を参照しつつ説明する。前面枠セット１４には遊技領域（レールユニット５０の内周部により略円形状に区画形成された領域）のほとんどを外部から視認することができるよう略楕円形状の窓部１０１が形成されている。
【００７８】
また、前面枠セット１４にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、上皿１９周りにも、同じくＬＥＤ等の発光手段を内蔵した上皿電飾部１０４が設けられている。その他、中央電飾部１０３の左右側方には、賞球払出し中に点灯する賞球ランプ１０５と所定のエラー時に点灯するエラー表示ランプ１０６とが設けられている。
【００７９】
また、窓部１０１の下方には貸球操作部１２０が配設されており、貸球操作部１２０には球貸しボタン１２１と、返却ボタン１２２と、度数表示部１２３とが設けられている。遊技場等において、パチンコ機１０の側方に配置されるカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置等から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図られる。
【００８０】
続いて、前面枠セット１４の背面構成について、図２を参照しつつ説明する。前面枠セット１４の裏側の上部コーナー部には、前記発光手段用の発光基板１２４が取付けられている。また、前面枠セット１４の裏側には、窓部１０１を囲むようにして金属製の各種補強部材が設けられている。詳しくは、前面枠セット１４の裏側にあって窓部１０１の左右上下の外側には補強板１３１，１３２，１３３，１３４が相互に接触するようにして取付けられている。加えて、発光基板１２４を覆うようにして、樹脂パーツ１３５が設けられている。これにより、発光基板１２４と補強板１３１との接触（発光基板１２４への通電）を防止することができ、発光基板１２４におけるノイズや磁界の発生等の抑制が図られている。なお、補強板１３１〜１３４は、図示しない接地機構により接地されている。
【００８１】
また、図２の右側の補強板１３１にはその中間位置にフック状をなす係合爪１３１ａが設けられており、この係合爪１３１ａは、前面枠セット１４を閉じた状態で内枠１２の孔部１２ａに係合される。この構成により、前面枠セット１４を浮かしての不正行為等が抑制されるようになっている。また、図２の左側の補強板１３２には、前面枠セット１４の背面側に延びる上下一対の前面枠セット鉤部１４ａ，１４ｂが一体形成されている。
【００８２】
併せて、下側の補強板１３４には、発射レール７３に対向する位置にレール側壁部材１３６が設けられている。このレール側壁部材１３６は、前面枠セット１４を閉じた際に発射レール７３の側壁となる。故に、発射レール７３から遊技球がこぼれ落ちないようになっている。
【００８３】
さらに、前面枠セット１４の背面側には、図６に示すガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００８４】
図６に示すように、ガラスユニット１３７は、窓部１０１の形状にほぼ対応して略円形状をなす前後一対の板ガラス１５１，１５２と、板ガラス１５１，１５２の周縁を囲むようにして設けられた保持フレーム１５３とを備えている。板ガラス１５１，１５２は、保持フレーム１５３によって、板ガラス１５１，１５２間に所定の間隙が形成された状態で保持されている。保持フレーム１５３は、複数箇所において外方に突出する取付部１５５を備えている。該取付部１５５が、前面枠セット１４の背面側に設けられた被取付部（図示略）に取着されることで、ガラスユニット１３７が前面枠セット１４に取付けられている。また、保持フレーム１５３はその一部において外方に膨出しており、該膨出部分の内側に収容部１５６が形成されている。収容部１５６には、乾燥剤１５７（ゼオライドやシリカゲル等）が収容されており、ガラスユニット１３７内における結露等の発生が防止されるようになっている。なお、収容部１５６は、窓部１０１の輪郭線よりも外周側に配設されており、これにより、乾燥材１５７が外部から視認されることがないようになっている。
【００８５】
次に、内枠１２の施錠機構、並びに、前面枠セット１４及び下皿ユニット１３の施錠機構について図９乃至図１６を参照して説明する。本実施形態では、前面枠セット１４の施錠機構及び下皿ユニットの施錠機構は、内枠１２の施錠機構と一体的となっている。つまり、本実施形態における各施錠機構は、単一の施錠装置Ｇ１によって具現化されている。図９は、外枠１１に対して内枠１２を開放した状態を示す背面側の斜視図である。図１０は施錠装置Ｇ１の正面図、図１１はその右側面図、図１２はその左側面図、図１３はその背面図である。さらに、図１４は施錠装置Ｇ１の正面右側の斜視図、図１５は施錠装置Ｇ１の背面左側の斜視図、図１６は施錠装置Ｇ１の背面右側の斜視図である。尚、図１０〜図１３では、説明の便宜上、後述する施錠カバー４０１の図示を省略している。また、図９では、前面枠セット１４、下皿ユニット１３、及び、内枠１２の背面側に設けられる遊技盤３０や各種制御基板等の図示を省略している。尚、本実施形態では、施錠装置Ｇ１及び前面枠セット鉤部１４ａ，１４ｂが施錠手段に相当する。
【００８６】
図９等に示すように、施錠装置Ｇ１は、内枠１２の背面右側部（図９では左側）に沿って縦方向に取付固定される取付板１８７と、取付板１８７の内側（窓孔２１側）の端縁から後方に延びる支持板１８８とを具備する断面略Ｌ字状の基枠１８６を備えている。
【００８７】
図１０、図１４等に示すように、取付板１８７には複数の取付孔１８７ａが穿設され、さらにその上部と下部に、矩形状の挿入孔１８９，１９０が形成されている。また、内枠１２（樹脂ベース２０）には、施錠装置Ｇ１の取付状態において挿入孔１８９、１９０と相対する位置に、連通孔９０、９１が形成されている（図４参照）。そして、前面枠セット１４の閉時においては、前面枠セット１４の背面側に延びる前面枠セット鉤部１４ａ，１４ｂ（図２参照）が、連通孔９０、９１を介して、挿入孔１８９，１９０に進入するようになっている。
【００８８】
また、図１１、図１６等に示すように、施錠装置Ｇ１は、支持板１８８の内面（図９、図１６では左側の面）に沿って上下に摺動可能に設けられた摺動部材としての摺動杆１９１と、摺動杆１９１の内面（図９、図１６では左側の面）に沿って上下に摺動可能な上下一対の内枠鉤部材１９２，１９３とを備えている。摺動杆１９１及び内枠鉤部材１９２，１９３は、それぞれ上下一対のコイルばねＣ１により、常には下方位置側に引っ張られている。本実施形態では、内枠鉤部材１９２，１９３の摺動範囲のうち、下方位置が内枠鉤部材１９２，１９３の施錠位置に相当し、上方位置が内枠鉤部材１９２，１９３の解錠位置に相当する。
【００８９】
内枠１２の閉状態においては、外枠１１の内側に固定された爪馬８３，８４の上辺部に対して内枠鉤部材１９２，１９３が係合する（図３、図９参照）。これにより、閉状態にある内枠１２の開放が規制される。尚、爪馬８３，８４に形成された折り返し部８３ａ，８４ａの存在により、内枠鉤部材１９２，１９３の係止状態の安定化を図ることができる。尚、内枠１２を閉じるときの内枠鉤部材１９２，１９３の動きを簡単に説明すると、内枠鉤部材１９２，１９３は、爪馬８３，８４と接触することによって上方に押され、コイルばねＣ１の引張力に抗して一旦解錠位置に向けて摺動する。その後、コイルばねＣ１の引張力で下方の施錠位置に戻り、爪馬８３，８４と係合する。
【００９０】
また、内枠鉤部材１９２，１９３は、摺動杆１９１の上方への摺動に連動して、両方同時に上方に向けて摺動するよう構成されている。一方、摺動杆１９１は、内枠鉤部材１９２、１９３に対して直接力が加えられることにより該内枠鉤部材１９２、１９３が摺動したとしても、連動して摺動しないよう構成されている。つまり、内枠鉤部材１９２，１９３は、それぞれ独立して移動可能となっており、例えば、内枠鉤部材１９２、１９３のどちらか一方を上方に移動させたとしても、他方は移動せずに施錠位置のままである。
【００９１】
また、図１３、図１６等に示すように、施錠装置Ｇ１は、取付板１８７の内面（後面）に沿って摺動可能な上下一対の前面枠セット施錠部材１９４，１９５を備えている。前面枠セット施錠部材１９４，１９５は、金属板を断面コ字状に折曲げることにより形成されており、そのうち取付板１８７側の面には矩形状の係止孔１９４ａ，１９５ａが形成されている。図１４に示すように、係止孔１９４ａ，１９５ａは、取付板１８７に形成された挿入孔１８９，１９０と相対配置されている。また、摺動杆１９１及び前面枠セット施錠部材１９４，１９５は上下一対の付勢手段としてのコイルばねＣ２により、常には上方位置側に引っ張られている。本実施形態では、前面枠セット施錠部材１９４，１９５の摺動範囲のうち、上方位置が前面枠セット施錠部材１９４，１９５の施錠位置に相当し、下方位置が前面枠セット施錠部材１９４，１９５の解錠位置に相当する。尚、摺動杆１９１は、コイルばねＣ１及びＣ２により、上方及び下方のどちらにも移動可能な中間位置において緊張状態とされている。
【００９２】
前面枠セット１４の閉状態においては、前面枠セット１４に設けられた前面枠セット鉤部１４ａ，１４ｂ（図２参照）が、内枠１２の連通孔９０、９１（図４参照）及び取付板１８７の挿入孔１８９，１９０（図１４参照）を介して、係止孔１９４ａ，１９５ａに挿通され、前面枠セット施錠部材１９４，１９５（係止孔１９４ａ，１９５ａの下縁部）に係合される。これにより、閉状態にある前面枠セット１４の開放が規制される。尚、前面枠セット１４を閉じるときの前面枠セット施錠部材１９４，１９５の動きを簡単に説明すると、前面枠セット施錠部材１９４，１９５は、前面枠セット鉤部１４ａ，１４ｂと接触することによって下方に押され、コイルばねＣ２の引張力に抗して一旦解錠位置に向けて摺動する。その後、コイルばねＣ２の引張力で上方の施錠位置に戻り、前面枠セット鉤部１４ａ，１４ｂと係合する。
【００９３】
さらに、前面枠セット施錠部材１９４，１９５は、摺動杆１９１の下方への摺動に連動して、両方同時に下方に向けて摺動するよう構成されている。一方、摺動杆１９１は、前面枠セット施錠部材１９４，１９５に直接力が加えられることにより前面枠セット施錠部材１９４，１９５が摺動したとしても、連動して摺動しないよう構成されている。つまり、前面枠セット施錠部材１９４，１９５は、それぞれ独立して下方に移動可能となっており、例えば、前面枠セット施錠部材１９４，１９５のどちらか一方を下方に移動させたとしても、他方は移動せずに施錠位置のままである。
【００９４】
また、図１１、図１３、図１６等に示すように、施錠装置Ｇ１は、内枠１２及び前面枠セット１４の施錠状態を解除するための錠部材としてのシリンダ錠１９６を備えている。シリンダ錠１９６は、取付板１８７の後面（取付面）に当接状態で固定される固定部１６１と、固定部１６１から前方に向けて取付板１８７を貫通して延び、鍵穴を有する錠本体１６２と、図示しない錠軸に取付けられ、鍵穴に挿入された鍵の回転動作を摺動杆１９１に伝達する伝達部材としてのカム板１６３とを備えている。
【００９５】
カム板１６３は、上下一対の係止爪１６５ａ、１６５ｂを備えている。一方、摺動杆１９１のうちカム板１６３と対向する部位には、上下一対の係止孔１７１ａ、１７１ｂが形成されている。
【００９６】
そして、鍵穴に挿入した鍵を図１０の時計方向に回転させた場合、カム板１６３が同方向に回動することにより、下側の係止爪１６５ｂが下側の係止孔１７１ｂの上縁部に接触し、該係止爪１６５ｂに持ち上げられるようにして摺動杆１９１が上方に摺動させられる。これにより、内枠鉤部材１９２、１９３が連動して同時に上方に摺動させられる。このとき、内枠鉤部材１９２，１９３と爪馬８３，８４との係合が解除され、内枠１２が解錠される。
【００９７】
一方、鍵穴に挿入した鍵を図１０の反時計方向に回転させた場合、カム板１６３が同方向に回動することにより、上側の係止爪１６５ａが上側の係止孔１７１ａの下縁部に接触し、該係止爪１６５ａに押し下げられるようにして摺動杆１９１が下方に摺動させられる。これにより、前面枠セット施錠部材１９４，１９５が連動して同時に下方に摺動させられる。このとき、前面枠セット施錠部材１９４，１９５と前面枠セット鉤部１４ａ，１４ｂとの係合が解除され、前面枠セット１４が解錠される。
【００９８】
尚、上記した摺動杆１９１は、その略中間位置において、シリンダ錠１９６側（図１６の左側）に突出する摺動操作部１９９を備えている。当該摺動操作部１９９の存在により、内枠１２を開放した状態において、シリンダ錠１９６の回動操作を行わなくても、摺動操作部１９９を押下げることで動杆１９１を下方に摺動させ、前面枠セット１４を開放させることができるようになっている。このため、パチンコ機１０を製造したりメンテナンスしたりするとき等の作業性の向上が図られる。
【００９９】
加えて、図１１、図１６に示すように、摺動杆１９１の内面には、下側の係止孔１７１ｂの下縁部からシリンダ錠１９６側に突出する規制突起１７２が形成されている。当該規制突起１７２は、例えば、シリンダ錠１９６の回動操作（鍵穴に挿入された鍵を時計回りに回転させる）を行わずに、摺動操作部１９９を押上げるようにして摺動杆１９１を上方に摺動させようとした場合に係止爪１６５ｂと接触するよう構成されており、これにより、摺動杆１９１の上方への摺動が規制されるようになっている。つまり、内枠１２は、シリンダ錠１９６の回動操作が伴わないと開放できないようになっている。尚、規制突起１７２を省略することとしてもよい。
【０１００】
また、図１３、図１６等に示すように、シリンダ錠１９６は、固定部１６１から後方に突出し、鍵穴形状（キーコード）を変更する際に押圧操作されるリセットピン１６６を具備している。キーコードの変更手順について説明すると、まず、リセットピン１６６を押圧した状態で鍵穴に現状の鍵を挿入して回転操作した後、該鍵を引き抜く。そして、リセットピン１６６を押圧したまま、新たに設定したい鍵を鍵穴に挿入し、前記現状の鍵とは逆向きに回転操作した後、リセットピン１６６の押圧状態を解除してから鍵を引き抜く。以上のような操作を行うことで、新たに設定したい鍵に合ったキーコードとすることができるようになっている。これにより、遊技場単位で鍵を統一できるとともに、不正防止のため、定期的に鍵を変更することができるようになっている。
【０１０１】
さらに、図１２、図１５等に示すように、施錠装置Ｇ１は、支持板１８８の外面（窓孔２１側の面）に沿って摺動可能な下皿ユニット施錠部材１９７を備えている。下皿ユニット施錠部材１９７は、上下一対の下皿ユニット鉤部１９７ａ，１９７ｂと、最上部に位置する下皿ユニット操作部１９８とを備えている。下皿ユニット施錠部材１９７は、コイルばねＣ３により、常には上方に引っ張られている。これにより、下皿ユニット１３の閉状態にあっては、下皿ユニット１３の背面側に設けられた係止孔１３ａ，１３ｂ（図２参照）に下皿ユニット鉤部１９７ａ，１９７ｂが係止され、下皿ユニット１３の開放が規制される。下皿ユニット操作部１９８は、前面枠セット１４を開状態とした場合にのみ露出し、この場合に限り操作可能となっている。そして、該下皿ユニット操作部１９８をコイルばねＣ３の引張力に抗して押下げることにより、下皿ユニット鉤部１９７ａ，１９７ｂと係止孔１３ａ，１３ｂとの係止状態が解除され、下皿ユニット１３が解錠されることとなる。換言すれば、下皿ユニット１３は、前面枠セット１４が開かれた場合に限り、下皿ユニット操作部１９８を操作することによってその開放が許容されるようになっている。
【０１０２】
さて、本実施形態では、前面枠セット１４の施錠機構、具体的には、前面枠セット１４に設けられた前面枠セット鉤部１４ａ，１４ｂに特徴を有している。以下、かかる特徴的部位に関して、図１７等を参照しつつ説明する。図１７は、前面枠セット１４が開放された状態における前面枠セット鉤部１４ａと前面枠セット施錠部材１９４との位置関係を説明するための模式断面図である。尚、前面枠セット鉤部１４ａ，１４ｂが鉤部材に相当し、前面枠セット施錠部材１９４，１９５が受部材に相当する。また、図１７は、前面枠セット１４が開放され、前面枠セット鉤部１４ａと前面枠セット施錠部材１９４とが離間した状態であって、後述するスライド部材４６１が第２の位置にあるときの前面枠セット鉤部と前面枠セット施錠部材との位置関係を説明するための模式断面図である。図１８は、前面枠セット１４を閉状態とする過程を説明するための模式断面図である。図１９は、前面枠セット１４の閉状態における前面枠セット鉤部１４ａと前面枠セット施錠部材１９４との位置関係を説明するための模式断面図である。図２０は、前面枠セット鉤部１４ａと前面枠セット施錠部材１９４とが接触し、前面枠セット１４が所定角度開いた状態で前面枠セット１４の閉方向への移動が規制され、後述するスライド部材４６１が第１の位置にあるときの前面枠セット鉤部１４ａと前面枠セット施錠部材１９４との位置関係を説明するための模式断面図である。
【０１０３】
図１７に示すように、前面枠セット鉤部１４ａは、前面枠セット１４の背面に設けられた補強板１３２から後方に延びる長板状の鉤本体４１１と、鉤本体４１１の先端部から下方に突出する爪部４１２とを備えている。
【０１０４】
鉤本体４１１は、パチンコ機１０の奥行方向（前面枠セット１４の開閉方向）に沿って真直ぐに延びており、その先端部（先端縁）は、前面枠セット１４の開閉方向と直交して延びている。以後、鉤本体４１１の先端部を接触辺部４５１と称する。尚、本実施形態では接触辺部４５１が移動規制部に相当する。
【０１０５】
爪部４１２は、鉤本体４１１の接触辺部４５１の下端部から下方に向けて鉤本体４１１の基端部側（図１７では左側）に傾斜して延びる案内辺部４１４と、案内辺部４１４の先端部と鉤本体４１１とを連結するようにして鉤本体４１１の延在方向（前面枠セット１４の開閉方向）と直交して延びる係止辺部４１５とを有している。前面枠セット１４（補強板１３２等）と内枠１２とが略当接状態となる前面枠セット１４の閉状態においては、爪部４１２が、内枠１２（樹脂ベース２０）の連通孔９０及び取付板１８７の挿入孔１８９を介して係止孔１９４ａに挿通され、係止辺部４１５が前面枠セット施錠部材１９４の後面に係止される（図１９参照）。これにより、閉状態における前面枠セット１４の開方向への移動が規制される。本実施形態では、前面枠セット施錠部材１９４のうち係止孔１９４ａの下縁部を含み、前面枠セット鉤部１４ａと接触する部位が支持部（以下、支持部４２１と称する）に相当する。
【０１０６】
上記のように、支持部４２１を有する前面枠セット施錠部材１９４は、前面枠セット１４の開閉方向（水平方向）と直交する方向である上下方向に沿って、上方の施錠位置と下方の解錠位置との間で移動可能に構成されている。本実施形態では、前面枠セット１４の開状態において、施錠位置にある前面枠セット施錠部材１９４の支持部４２１の先端部（上縁部）が、接触辺部４５１と案内辺部４１４との境界部（接触辺部４５１の下端部）よりも上方に位置する。また、前面枠セット施錠部材１９４が解錠位置にあるときには、支持部４２１の先端部が爪部４１２の先端部（案内辺部４１４と係止辺部４１５との境界部）よりも下方に位置する。尚、前面枠セット１４の閉状態（支持部４２１と係止辺部４１５との係止状態）においては、鉤本体４１１の下縁部と支持部４２１の先端部とが当接状態となる。
【０１０７】
さて、本実施形態では、前面枠セット鉤部１４ａは、鉤本体４１１のうち前面枠セット１４の外周側の面（図１７では手前側の面、以下単に鉤本体４１１の外面と称する）に沿って摺動可能な長板状のスライド部材４６１を備えている。スライド部材４６１の後端部（以後、縦辺部４６２と称する）は、前面枠セット１４の開閉方向と直交して延びている。前面枠セット１４の開状態において、施錠位置にある前面枠セット施錠部材１９４の支持部４２１の先端部（上縁部）は、縦辺部４６２の下端部よりも上方、かつ、縦辺部４６２の上端部よりも下方に位置している。尚、本実施形態ではスライド部材４６１が可動部を構成する。
【０１０８】
スライド部材４６１には、前後に並ぶようにして一対の長円状の摺動孔４６３，４６４が形成されている。該摺動孔４６３，４６４には、鉤本体４１１の外面から突出し、先端部において摺動孔４６３，４６４の上下幅よりも大きな拡径部を有する摺動突起４６５，４６６が挿通されており、該摺動突起４６５，４６６の拡径部がスライド部材４６１のうち前面枠セット１４の外周側の面（図１７では手前側の面、以下単にスライド部材４６１の外面と称する）側に位置している。つまり、摺動孔４６４，４６３及び摺動突起４６６，４６５によってスライド部材４６１と鉤本体４１１とが接続されている。
【０１０９】
また、摺動孔４６３，４６４の前後幅（図１７では左右方向の幅）は、対応する摺動突起４６５，４６６の径よりも大きくなっている。さらに、摺動突起４６５、４６６のうち一方の摺動突起４６５，４６６が、対応する摺動孔４６３，４６４の後端部（図１７では右側の縁部）と接触する場合には、他方の摺動突起４６６，４６５についても、これに対応する摺動孔４６４，４６３の後端部と接触し、摺動突起４６５、４６６のうち一方の摺動突起４６５，４６６が、対応する摺動孔４６３，４６４の前端部（図１７では左側の縁部）と接触する場合には、他方の摺動突起４６６，４６５についても、これに対応する摺動孔４６４，４６３の前端部と接触する構成となっている。これにより、スライド部材４６１が鉤本体４１１に対して前後に相対移動（摺動）可能に設けられている。尚、摺動孔４６３，４６４及び摺動突起４６５，４６６が２つずつ設けられていることにより、鉤本体４１１に対してスライド部材４６１が回動してしまうといったおそれを防止できるとともに、スライド部材４６１の摺動に際してのがたつきが抑制される。
【０１１０】
本実施形態では、前後一対の摺動孔４６３、４６４のうち後側（図１７では右側）の摺動孔４６４の前端部から縦辺部４６２までの距離Ｌ１が、一対の摺動突起４６５、４６６のうち後側の摺動突起４６６の前端部から接触辺部４５１までの距離Ｌ２よりも長くなっている。従って、摺動孔４６３，４６４の前端部と摺動突起４６５，４６６（の前端部）とが当接した状態においては、スライド部材４６１の縦辺部４６２が鉤本体４１１の先端部である接触辺部４５１よりも後方に突出する。
【０１１１】
さらに、摺動孔４６３，４６４の前後幅から摺動突起４６５，４６６の径（拡径部ではない部位の径）を引いた長さＬ３が、摺動突起４６５，４６６と摺動孔４６３，４６４の前端部とが略当接した状態においての接触辺部４５１から縦辺部４６２までの距離Ｌ４と同じ、又は、距離Ｌ４よりも若干長くなっている。従って、スライド部材４６１の摺動孔４６３，４６４の後端部と摺動突起４６５，４６６とが当接した状態においては、前面枠セット１４の開閉方向において、縦辺部４６２と接触辺部４５１とが同じ位置、又は、スライド部材４６１の縦辺部４６２が接触辺部４５１よりも前方に位置する。換言すれば、スライド部材４６１は、当該スライド部材４６１に対して前方（図１７の左方）に力を加えることで、縦辺部４６２が接触辺部４５１と同じ位置となるまで、又は、縦辺部４６２が接触辺部４５１よりも若干前方に位置するまで前方（図１７の左側）にスライド可能である。
【０１１２】
このように、スライド部材４６１が少なくとも縦辺部４６２と接触辺部４５１とが同じ位置となるまで前方にスライド可能に構成されるとともに、上記のように、前面枠セット１４の開状態において、施錠位置にある前面枠セット施錠部材１９４の支持部４２１の先端部が、接触辺部４５１の下端部よりも上方に位置といった構成であるため、シリンダ錠１９６の回動操作を行わずに開状態にある前面枠セット１４を閉じていく場合には、支持部４２１と接触辺部４５１とが接触することとなる。以下、支持部４２１と接触辺部４５１とが接触したときのスライド部材４６１の位置を第１の位置と称する。また、スライド部材４６１の摺動範囲のうち、摺動突起４６５，４６６と摺動孔４６３，４６４の前端部とが当接したときのスライド部材４６１の位置を第２の位置と称する。尚、本実施形態では、スライド部材４６１の縦辺部４６２が当接部を構成する。
【０１１３】
加えて、前面枠セット鉤部１４ａは、一端が鉤本体４１１に固定されるとともに、他端がスライド部材４６１に固定された緩衝付勢手段としてのコイルばねＣ４を備えている。より詳しく説明すると、スライド部材４６１には、上辺部から上方に突出するスライド側掛部４６７が設けられている。さらに、鉤本体４１１には、第２の位置にあるスライド部材４６１のスライド側掛部４６７よりも後方（鉤本体４１１の先端部側）において、鉤本体４１１の上縁部から上方に突出する鉤側掛部４６８を備えている。そして、スライド側掛部４６７と鉤側掛部４６８とにかけてコイルばねＣ４が設けられている。当該コイルばねＣ４により、スライド部材４６１が常には後側（第２の位置側）に引っ張られている。このため、スライド部材４６１に対して、コイルばねＣ４の付勢力以外には積極的に力が付加されていない、いわば通常時においては、スライド部材４６１が第２の位置にあり、縦辺部４６２が鉤本体４１１の先端部である接触辺部４５１よりも後方に突出している。
【０１１４】
このように、通常、縦辺部４６１が接触辺部４５１よりも後方に位置するとともに、上記のように、前面枠セット１４の開状態において、施錠位置にある前面枠セット施錠部材１９４の支持部４２１の先端部がスライド部材４６１の縦辺部４６２の下端部よりも上方に位置するといった構成により、シリンダ錠１９６の回動操作を行わずに開状態にある前面枠セット１４を閉じていく場合には、支持部４２１の前面と縦辺部４６２とが接触することとなる。本実施形態では、縦辺部４６２と接触する支持部４２１の前面は、前面枠セット１４の開閉方向と直交して延びている。また、係止辺部４１５に接触して係止される支持部４２１の後面についても、前面枠セット１４の開閉方向と直交して延びている。尚、本実施形態では、支持部４２１の前面が接触面を構成し、支持部４２１の後面が係止面を構成する。
【０１１５】
また、スライド部材４６１の下縁部は鉤本体４１１の下縁部と同じ高さ位置となっており、接触辺部４５１の下端部（接触辺部４５１と案内辺部４１４との境界部）と縦辺部４６１の下端部とが同じ高さ位置となっている。このため、前面枠セット１４を閉めていくことで、支持部４２１と接触辺部４５１とが接触する場合には、その前に必ず縦辺部４６１と支持部４２１とが接触することとなる。尚、本実施形態では、接触辺部４５１と案内辺部４１４との境界部と、支持部４２１の接触面（前面）の上端部とが同じ高さ位置となったときの前面枠セット施錠部材１９４の高さ位置が閉鎖許容位置に相当する。また、支持部４２１の接触面の上端部が接触辺部４５１と案内辺部４１４との境界部よりも上方に位置した場合、すなわち、前面枠セット施錠部材１９４が閉鎖許容位置よりも施錠位置側にある場合には、前面枠セット１４を閉じていくことで、支持部４２１と縦辺部４６２とが接触するとともに、さらに該接触状態から支持部４２１と縦辺部４６２とを押圧することで支持部４２１と接触辺部４５１とが接触する。
【０１１６】
尚、下側の前面枠セット鉤部１４ｂ、前面枠セット施錠部材１９５についても、前面枠セット鉤部１４ａ、前面枠セット施錠部材１９４と同様の構成を具備している。
【０１１７】
次に、前面枠セット１４を閉じるときの前面枠セット鉤部１４ａ及び前面枠セット施錠部材１９４の動きについて、図１７〜図２０を参照しつつ説明する。
【０１１８】
図１７に示すような開状態にある前面枠セット１４を閉状態とするには、まず、図１８に示すように、シリンダ錠１９６の回動操作を行って前面枠セット施錠部材１９４を解錠位置側に移動させ、支持部４２１の先端部位置を爪部４１２よりも下方に位置させる。そして、シリンダ錠１９６の回動操作を行いつつ（施錠状態を解除するために鍵穴に挿入して回動させた鍵の回動位置を保持したまま）、前面枠セット１４を閉めていくことで、図１９に示すように、縦辺部４６２及び接触辺部４５１を支持部４２１に接触させることなく、前面枠セット鉤部１４ａの先端部（爪部４１２）が、内枠１２の連通孔９０及び取付板１８７の挿入孔１８９を介して係止孔１９４ａに完全に挿通され、かつ、前面枠セット１４（補強板１３２等）と内枠１２とが略当接状態とされるまで前面枠セット１４を押し込むことができる。
【０１１９】
尚、支持部４２１と案内辺部４１４とが接触したとしても、さらに前面枠セット１４を閉じていくことで、前面枠セット施錠部材１９４が、案内辺部４１４において摺接する支持部４２１に押され、付勢手段としてのコイルばねＣ２の引張力に抗して一旦下方の解錠位置に向けて摺動する。つまり、前面枠セット１４を閉状態とするまで押し込むことができることから、前面枠セット１４の閉鎖に際しては、支持部４２１の先端部を爪部４１２よりも下方に位置させなくても、支持部４２１の先端部を、接触辺部４５１と案内辺部４１４との境界部よりも下方に位置させればよい。
【０１２０】
その後、シリンダ錠１９６（シリンダ錠１９６の鍵穴に挿入され回動された鍵）から手を放すと、コイルばねＣ２の引張力によって、前面枠セット施錠部材１９４が上方に移動して施錠位置に戻り、係止辺部４１５が支持部４２１の後面に係止される。以上のようにして、前面枠セット施錠部材１９４と前面枠セット鉤部１４ａとが係合状態とされ、閉状態における前面枠セット１４が施錠される。尚、シリンダ錠１９６の鍵穴に挿入されて回動された鍵から手を放すと、付勢力によって鍵が回動前の基準位置に戻されるようになっている。
【０１２１】
さて、本実施形態では、シリンダ錠１９６の回動操作を行うことなく、前面枠セット１４を閉じていく場合には、まず、前面枠セット鉤部１４ａの先端部に位置するスライド部材４６１の縦辺部４６２が支持部４２１の前面と接触することとなる。
【０１２２】
当該接触状態からさらに前面枠セット１４を閉じていくことで、図２０に示すように、スライド部材４６１が支持部４２１に押され、コイルばねＣ４の引張力に抗して第２の位置から前方の第１の位置側へと移動する。そして、スライド部材４６１が支持部４２１に押されて縦辺部４６２と接触辺部４５１とが同じ位置となるまで（第１の位置となるまで）前方に摺動した場合、支持部４２１が鉤本体４１１の接触辺部４５１と接触する。このように、支持部４２１と接触辺部４５１とが接触した時点で、支持部４２１の爪部４１２側への相対移動、すなわち、前面枠セット１４の閉方向への移動が規制される。これにより、前面枠セット１４をそれ以上閉めることができなくなっている。
【０１２３】
以上詳述したように、本実施形態によれば、シリンダ錠１９６の回動操作を行わずに開状態にある前面枠セット１４を閉方向に移動させる場合には、まず、支持部４２１の前面が前面枠セット鉤部１４ａの先端部に位置する縦辺部４６２と接触し、当該接触状態からさらに前面枠セット１４を閉方向に移動させることで、支持部４２１の前面が鉤本体４１１の先端部である接触辺部４５１と接触する。支持部４２１が接触辺部４５１と接触すると、前面枠セット１４の閉方向への移動が規制され、前面枠セット１４をそれ以上閉めることができなくなっている。従って、シリンダ錠１９６の回動操作を行わなければ、前面枠セット１４を押しても閉鎖できないため、前面枠セット１４が不正開放されたことを発見しやすくなる。結果として、前面枠セット１４の不正開放、ひいては、前面枠セット１４と内枠１２との間からパチンコ機１の内部に対して行われる不正行為等を抑制することができる。
【０１２４】
また、支持部４２１と接触辺部４５１とが接触する前に、支持部４２１は第２の位置にあるスライド部材４６１の縦辺部４６２と接触する。このスライド部材４６１は、コイルばねＣ４によって後方の第２の位置側に付勢されており、該スライド部材４６１が支持部４２１に押されて前方の第１の位置側に移動する際には、支持部４２１を押し返そうとする力が作用することとなる。これにより、縦辺部４６２（前面枠セット鉤部１４ａ）と支持部４２１（前面枠セット施錠部材１９４）との圧接に際して発生する力を吸収することができる。従って、前面枠セット鉤部１４ａ及び前面枠セット施錠部材１９４に付加される力を緩和することができ、前面枠セット鉤部１４ａ及び前面枠セット施錠部材１９４が変形したり損傷したりしてしまうことを防止することができる。
【０１２５】
さらには、前面枠セット鉤部１４ａと前面枠セット施錠部材１９４との衝突に起因する衝撃を吸収・緩和することができるため、これに起因する衝撃が前面枠セット鉤部１４ａ及び前面枠セット施錠部材１９４以外の部材にも伝達してしまうといったおそれを抑制することができる。従って、例えば、前記衝撃によって前面枠セット１４や内枠１２を構成する樹脂製の部材が損傷したり、制御基板に支障が生じたりしてしまうといったおそれ等を防止することができる。
【０１２６】
また、スライド部材４６１は、前面枠セット１４の開閉方向に沿って摺動して、前面枠セット鉤部１４ａと前面枠セット施錠部材１９４との圧接に際して発生する力を吸収するといったものであるため、前面枠セット１４の開閉方向（パチンコ機１０の前後方向）において所定のスペースを必要とする。さらに、前面枠セット鉤部１４ａは、支持部４２１の後面を係止する爪部４１２を有するため、支持部４２１よりも前面枠セット１４の開閉方向において長さを必要とする。このため、例えば、支持部４２１（前面枠セット施錠部材１９４）にスライド部材４６１を設ける場合には、前面枠セット鉤部１４ａと前面枠セット施錠部材１９４とが両方とも前面枠セット１４の開閉方向において長くなってしまい、結果として、施錠装置Ｇ１の設置のために必要とするスペースが大きくなってしまうことが懸念される。
【０１２７】
これに対し、本実施形態によれば、前面枠セット鉤部１４ａにスライド部材４６１が設けられているため、前面枠セット施錠部材１９４が前面枠セット１４の開閉方向においてそれ程厚みを必要としなくなる。このため、前面枠セット施錠部材１９４にスライド部材４６１を設けるよりも、本実施形態のように前面枠セット鉤部１４ａにスライド部材４６１を設ける方が施錠装置Ｇ１の設置のために必要とするスペースを小さくすることができる。結果として、パチンコ機１０の大型化を防止できたり、パチンコ機１０の内部スペースの有効利用を図ることができたりする。
【０１２８】
さらに、例えば、前面枠セット１４に対し、前面枠セット鉤部１４ａ（前面枠セット鉤部１４ｂ）とは別の箇所にスライド部材４６１を設ける場合には、シリンダ錠１９６の回動操作を行っても行わなくても、前面枠セット１４を閉じる際には、必ずスライド部材４６１が内枠１２（樹脂ベース２０）に接触することとなる。このため、シリンダ錠１９６の回動操作を行って前面枠セット１４を閉鎖する際に、スライド部材４６１をコイルばねＣ４の引っ張り力に抗して第２の位置から第１の位置側に移動させる力が必要となる。
【０１２９】
これに対し、スライド部材４６１を前面枠セット鉤部１４ａ（前面枠セット鉤部１４ｂ）に設けることで、シリンダ錠１９６の回動操作を行い、前面枠セット１４を閉鎖できるときには、上記実施形態のように、スライド部材４６１が内枠１２（支持部４２１）に接触しない構成とすることができる。従って、前面枠セット１４を閉鎖できない状態のときには、スライド部材４６１が支持部４２１に接触し第２の位置から第１の位置側に移動することで前面枠セット鉤部１４ａ（前面枠セット鉤部１４ｂ）と支持部４２１との圧接（前面枠セット１４と内枠１２との衝突）に起因する力を吸収し、前面枠セット１４を閉鎖できる状態のときには、スライド部材４６１が支持部４２１に接触することなく、従って、スライド部材４６１（コイルばねＣ４）から前面枠セット１４を押し返そうとする力を受けることなく、前面枠セット１４を閉鎖することができる。結果として、シリンダ錠１９６の回動操作を行って前面枠セット１４を閉方向に移動させる場合には、前面枠セット１４をスムースに閉鎖することができる。また、前面枠セット鉤部１４ａ（前面枠セット鉤部１４ｂ）とは別の箇所にスライド部材４６１を設ける場合に比べ、部品点数が増加したり、構成の複雑化を招いたりするといったおそれを抑制することができる。
【０１３０】
加えて、例えば、スライド部材４６１に爪部４１２が設けられる場合には、支持部４２１の後面（係止面）と爪部４１２の係止辺部４１５とが圧接された際に、摺動突起４６５，４６６（スライド部材４６１の摺動孔４６３，４６４）に対して大きな力が付加され、摺動突起４６５，４６６が損傷してしまうおそれがある。これに対し、本実施形態のように、爪部４１２を鉤本体４１１に設けることで、摺動突起４６５，４６６に大きな力が付加されるといった事態を回避することができ、摺動突起４６５，４６６及び摺動孔４６３，４６４周縁部の高剛性化、大型化等を招くことなく上記おそれを回避することができる。
【０１３１】
さらに、縦辺部４６２及び支持部４２１の前面は、前面枠セット１４の開閉方向と直交して延びている。このため、縦辺部４６２と支持部４２１とが圧接された際に、縦辺部４６２又は支持部４２１の前面に案内されるようにして、支持部４２１が縦辺部４６２から外れる方向に相対移動してしまうといったおそれを回避することができる。従って、支持部４２１が縦辺部４６２から外れる方向に相対移動することに起因して、縦辺部４６２と支持部４２１との圧接に際して発生する力を十分に吸収できないといったおそれを回避することができる。
【０１３２】
また、縦辺部４６２及び支持部４２１の前面がいずれも前面枠セット１４の開閉方向と直交して延び、互いに平行しているため、例えば、縦辺部４６２と支持部４２１の前面との傾斜角度が異なる場合に比べ、縦辺部４６２と支持部４２１との接触面積を大きくすることができる。従って、縦辺部４６２と支持部４２１とが接触した際に、スライド部材４６１（の角部）や支持部４２１（の角部）が損傷してしまうといったおそれを抑制することができ、結果として、スライド部材４６１及び支持部４２１の耐久性の低下を抑止することができる。
【０１３３】
また、本実施形態によれば、スライド部材４６１が、第２の位置から第１の位置へと移動するまでの間に、縦辺部４６２と支持部４２１との圧接に際して発生する力を吸収しきれなかった場合には、支持部４２１が鉤本体４１１の接触辺部４５１と接触することで前面枠セット１４の閉方向への移動が規制される。このため、支持部４２１の爪部４１２側への相対移動を確実に規制することができる。また、例えば、スライド部材４６１が第１の位置となったときに該スライド部材４６１と接触し、スライド部材４６１の鉤本体４１１の基端部側（前方）へのそれ以上の移動を規制するストッパー部を鉤部材に設け、スライド部材４６１が第１の位置にある状態においても縦辺部４６２が鉤本体４１１の先端部から後方に突出するといった構成を採用する場合、スライド部材４６１が第２の位置から第１の位置へと移動するまでの間に縦辺部４６２と支持部４２１との圧接に起因する力を吸収しきれなかったときには、第１の位置にあるスライド部材４６１とストッパー部とが接触することで、支持部４２１のそれ以上の爪部４１２側への相対移動が規制されることとなる。この場合、スライド部材４６１に対してより大きな力が付加されてしまうおそれがある。これに対し、本実施形態の構成を採用することで、スライド部材４６１に大きな力が付加されるといった事態を回避することができるため、スライド部材４６１が変形等してしまうといったおそれを抑制することができる。従って、スライド部材４６１の剛性をそれ程必要としなくなるため、スライド部材４６１の薄肉化、ひいては施錠装置Ｇ１の小型化を図ることができる。
【０１３４】
尚、上記のように、前面枠セット１４の開放を検知する開放検知センサ２２が設けられている。本実施形態では、支持部４２１と係止辺部４１５との係止状態が解除され、支持部４２１の後面（係止面）が接触辺部４５１よりも後方（図１７では右側）に位置した場合に、開放検知センサ２２が前面枠セット１４の開放を検知するとともに、かかる検知信号が後述するサブ制御装置２６２の入出力ポート５５４、及び外部中継端子板２３０に入力されることとなる（図２１参照）。これにより、開放検知センサ２２の検知情報に基づいて、前面枠セット１４の前面に設けられたエラー表示ランプ１０６が点灯制御されたり、前面枠セット１４が開放された旨の信号がホールコンピュータに出力されたりする。
【０１３５】
従って、前面枠セット１４の不正開放を発見しやすくなるといった効果が一層奏される。さらに、本実施形態では、シリンダ錠１９６の回動操作を行わなければ、すぐに前面枠セット１４を閉状態とすることができないため、ホールコンピュータによる監視等によって、パチンコ機１０の設置された場所から離れた場所で前面枠セット１４の不正開放を確認してから、不正が行われたパチンコ機１０の設置場所に駆けつけるまでに多少の時間が掛かる場合であっても、前面枠セット１４が不正に開放されている現場を押さえられる可能性が高まり、上記作用効果が相乗的に奏される。
【０１３６】
また、上記のように、内枠１２の前面側には、前面枠セット１４の閉時に前面枠セット１４が内側に嵌まり込むリブＲ１が設けられており、本実施形態では、図２２に示すような前面枠セット１４が閉鎖された状態から、図２３に示すように、第２の位置にあるスライド部材４６１の縦辺部４６２よりも、支持部４２１の前面（図２３では下側の面）が後方（図２３では上方）に位置するまでは、前面枠セット１４の背面側周縁部がリブＲ１に覆われる。つまり、第２の位置にあるスライド部材４６１の縦辺部４６２よりも、支持部４２１の前面が前方に位置する状態においては、前面枠セット１４と内枠１２との間から針金等を侵入させることが困難又は不可能となる。従って、前面枠セット１４を開放させての不正行為を抑制することができる。また、不正行為者が上記不正行為を行いにくいからといって、第２の位置にあるスライド部材４６１の縦辺部４６２よりも、支持部４２１の前面が後方に位置するまで前面枠セット１４を開放させた場合、上記のように支持部４２１が縦辺部４６２、ひいては接触辺部４５１と接触する状態となり、前面枠セット１４を閉鎖できなくなる。従って、前面枠セット１４を開放させての不正行為を発見しやすくなるといった作用効果がより確実に奏される。
【０１３７】
加えて、支持部４２１の後面が案内辺部４１４上に位置しているときには、開放検出センサ２２による検知が行われないようになっている。上記のように、本実施形態では、リブＲ１の存在により前面枠セット１４がごく僅かしか開いていないときには不正行為が非常に困難又は不可能であるため、支持部４２１の後面が案内辺部４１４上に位置するときには前面枠セット１４の開放を検知しなくても特に支障が生じない。このような構成を採用することで、開放検知センサ２２の検知精度をそれほど高める必要がなく、構成の簡素化やコストの削減等を図ることができる。
【０１３８】
次に、パチンコ機１０の背面の構成を図７に基づいて説明する。パチンコ機１０にはその背面（実際には内枠１２及び遊技盤３０の背面）において、各種制御基板が上下左右に並べられるようにして、一部前後に重ねられるようにして配置されており、さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【０１３９】
なお、第１制御基板ユニット２０１、第２制御基板ユニット２０２及び裏パックユニット２０３は、ユニット単位で工具等を用いずとも着脱できるよう構成されており、さらに、一部に支軸部を設けて内枠１２又は遊技盤３０の裏面に対して開閉できる構成となっている。
【０１４０】
図８は、内枠１２に遊技盤３０を組み付けた状態における構成を示す背面図である。同図に示すように、遊技盤３０は、樹脂ベース２０に囲まれた四角枠状の設置領域に設置され、内枠１２に設けられた複数（本実施形態では４カ所）の係止固定具２１１，２１２によって脱落しないように固定されている。
【０１４１】
遊技盤３０の中央には可変表示装置ユニット３５が配置されている。可変表示装置ユニット３５においては、センターフレーム４７（図５参照）を背後から覆う樹脂製（例えばＡＢＳ製）のフレームカバー２１３が後方に突出して設けられており、そのフレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【０１４２】
また、遊技盤３０の裏面には、可変表示装置ユニット３５を取り囲むようにして裏枠セット２１５が取り付けられている。この裏枠セット２１５は、遊技盤３０の裏面に張り付くようにして設けられる薄型の樹脂成形品であって、各種入賞口に入賞した遊技球を回収する遊技球回収機構が形成されている。詳しくは、裏枠セット２１５の下方には、前述した一般入賞口３１、可変入賞装置３２、第１契機対応口３３（それぞれ図５参照）の遊技盤開口部に対応し、且つ下流側で１カ所に集合する回収通路２１６が形成されている。また、遊技盤３０よりも下方の内枠１２には、樹脂製の排出通路盤２１７が取り付けられており、該排出通路盤２１７には、排出球をパチンコ機１０外部へ案内する排出通路２１８が形成されている。従って、図８に仮想線で例示するように、一般入賞口３１等に入賞した遊技球は何れも裏枠セット２１５の回収通路２１６を介して集合し、さらに排出通路盤２１７の排出通路２１８を介してパチンコ機１０外部に排出される。なお、アウト口３６（図５参照）も同様に排出通路２１８に通じており、何れの入賞口にも入賞しなかった遊技球も排出通路２１８を介してパチンコ機１０外部に排出される。
【０１４３】
上記構成では、遊技盤３０の下端面を境界にして、上方に裏枠セット２１５（回収通路２１６）が、下方に排出通路盤２１７（排出通路２１８）が設けられており、排出通路盤２１７が遊技盤３０に対して前後方向に重複（オーバーラップ）せずに設けられている。
【０１４４】
次に、パチンコ機１０の電気的構成について説明する。図２１は、本パチンコ機１０の電気的構成を示すブロック図である。パチンコ機１０の主制御装置２６１（主基板）にはＣＰＵ５０１が搭載されている。ＣＰＵ５０１には、各種の制御プログラム等を記憶したＲＯＭ５０２と、制御プログラムの実行に際して各種のデータ等を一時的に記憶するＲＡＭ５０３と、割込回路やタイマ回路、データ送受信回路などの各種回路等が内蔵されている。ＲＡＭ５０３には、各種のデータ等を一時的に記憶するメモリやエリアの他に、バックアップエリア５０３ａが設けられている。
【０１４５】
ＣＰＵ５０１には、バスライン５０４を介して入出力ポート５０５が接続されている。入出力ポート５０５には、ＲＡＭ消去スイッチ回路５４３、払出制御装置３１１、サブ制御装置２６２、特別表示装置４３、普通図柄表示装置４１、その他図示しないスイッチ等が接続されている。
【０１４６】
サブ制御装置２６２（サブ制御基板）は、ＣＰＵ５５１、各種の制御プログラム等を記憶したＲＯＭ５５２、制御プログラムの実行に際して各種のデータ等を一時的に記憶するＲＡＭ５５３、入出力ポート５５４、バスライン５５５を備えるとともに、その他にも図示しない割込回路やタイマ回路、データ送受信回路などの各種回路等を備えている。入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０６等が接続されている。
【０１４７】
払出制御装置３１１は、払出モータ３５８ａにより賞球や貸し球の払出制御を行うものである。演算装置であるＣＰＵ５１１は、制御プログラム等を記憶したＲＯＭ５１２とバックアップエリア５１３ａが設けられたＲＡＭ５１３とを備えている。ＣＰＵ５１１には、バスライン５１４を介して入出力ポート５１５が接続され、入出力ポート５１５には、ＲＡＭ消去スイッチ回路５４３、主制御装置２６１、発射制御装置３１２、払出モータ３５８ａ等が接続されている。
【０１４８】
発射制御装置３１２は、発射装置７２による遊技球の発射を許可又は禁止するものであり、所定条件が整っている場合に駆動が許可される。
【０１４９】
表示制御装置４５は、サブ制御装置２６２からの指示に従い、装飾図柄表示装置４２における装飾図柄の変動表示を実行するものである。表示制御装置４５は、ＣＰＵ５２１と、プログラムＲＯＭ５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７にはサブ制御装置２６２の出力ポート５５６が接続され、入力ポート５２７には、ＣＰＵ５２１、プログラムＲＯＭ５２２、ワークＲＡＭ５２３、画像コントローラ５２６が接続されている。また、画像コントローラ５２６にはバスライン５３１を介して出力ポート５２９が接続されており、その出力ポート５２９には装飾図柄表示装置４２が接続されている。
【０１５０】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。
【０１５１】
以上、本発明は、上記実施の形態には何ら限定されるものではなく、本発明の趣旨を逸脱しない限りにおいて、種々の形態で実施できることは言うまでもない。
【０１５２】
（ａ）上記実施形態における前面枠セット鉤部１４ａの構成は特に限定されるものではなく、第２の位置と第１の位置との間で移動可能な可動部と、前記可動部を前記第２の位置側に付勢する緩衝付勢手段とを備え、前面枠セット１４を閉鎖する際に、前面枠セット鉤部１４ａと前面枠セット施錠部材１９４との圧接に起因して発生する力を吸収できる構成となっていればよい。以下、上記構成の態様例を、図２４、図２５を参照しつつ説明する。尚、図２４、図２５では、内枠１２の樹脂ベース２０や取付板１８７等を省略している。また、図２４は前面枠セット鉤部１４ａが第２の位置にある状態を示し、図２５は前面枠セット鉤部１４ａが第１の位置にある状態を示す。
【０１５３】
同図に示すように、前面枠セット鉤部１４ａは、上下方向に延びる第１片部７０１ａ及び第１片部７０１ａの下端部から後方に延びる第２片部７０１ｂを備える略Ｌ字状の本体部７０１と、第２片部７０１ｂの先端部から下方に突出する爪部７０４とを備え、補強板１３２から後方に延びるベース部材７０７に対して回動可能に設けられている。
【０１５４】
より詳しくは、第１片部７０１ａの上部には回動孔７１１が形成されている。該回動孔７１１には、ベース部材７０７から前面枠セット１４の外周方向に突出し、先端部に回動孔７１１よりも大きな拡径部を有する回動突起７１２が挿通され、拡径部が第１片部７０１ａのうち前面枠セット１４の外周側の面に略接触している。これにより、本体部７０１がベース部材７０７に対して回動可能に設けられている。尚、本例では、本体部７０１が可動部を構成し、回動孔７１１及び回動突起７１２が接続部を構成する。
【０１５５】
本例では、本体部７０１は、第１片部７０１ａが上下に真直ぐ延びた状態から、第１片部７０１ａが後方に傾くようにして（図２４の反時計回りに）約２０度回動した状態となるまでの間で回動可能に設けられている。より詳しくは、第１片部７０１ａが上下に真直ぐ延びた状態となったとき（図２５参照）に第１片部７０１ａの前辺部と接触する第１規制突起７１４と、ベース部材７０７には、第１片部７０１ａが傾いた状態となったとき（図２４参照）に第１片部７０１ａの上辺部と接触する第２規制突起７１３とが設けられている。本例では、本体部７０１と第１規制突起７１４とが接触した状態における本体部７０１の位置が第１の位置に相当し、本体部７０１（第１片部７０１ａ）と第２規制突起７１３とが接触した状態における本体部７０１の位置が第２の位置に相当する。
【０１５６】
また、前面枠セット鉤部１４ａは、一端が第１片部７０１ａと第２片部７０１ｂとの境界部に設けられた鉤側掛部７１６に固定されるとともに、他端が鉤側掛部７１６よりも後方かつ下方の位置においてベース部材７０７に設けられたベース側掛部７１７に固定された緩衝付勢手段としてのコイルばねＣ５を備えている。当該コイルばねＣ５によって、本体部７０１は常には後方の第２の位置側に付勢されている。
【０１５７】
加えて、本体部７０１が第２の位置及び第１の位置のどちらに位置していたとしても、第２片部７０１ｂの先端部は、ベース部材７０７よりも後方に突出している。以下、第２片部７０１ｂの先端部を規制壁部７２１と称する。また、本体部７０１が第２の位置及び第１の位置のどちらに位置していたとしても、前面枠セット１４の開状態において、施錠位置にある前面枠セット施錠部材１９４の支持部４２１の先端部が規制壁部７２１の下端部よりも上方に位置する。このため、シリンダ錠１９６の回動操作を行うことなく前面枠セット１４を閉める（閉方向に移動させる）場合には、支持部４２１と規制壁部７２１とが接触することとなる。
【０１５８】
また、爪部７０４は、規制壁部７２１の下端部から後方に向けてベース部材７０７側に傾斜しつつ延びる案内辺部７２２と、案内辺部７２２の先端部と第２片部７０１ｂとを連結するようにして延びる係止辺部７２３とを有している。
【０１５９】
第２の位置にある本体部７０１の規制壁部７２１は、爪部７０４側の端部である下端部よりも上端部の方が前方に位置している。換言すれば、前面枠セット鉤部１４ａのうち、規制壁部７２１の下端部（規制壁部７２１と案内辺部７２２との境界部）が最も先端（後方）に位置し、シリンダ錠１９６の回動操作を行うことなく開状態にある前面枠セット１４を閉方向に移動させる際に支持部４２１と最初に接触することとなる。
【０１６０】
また、第２の位置にある本体部７０１の規制壁部７２１の下端部は、回動孔７１１（回動突起７１２）の中心位置αよりも爪部７０４の突出方向側である下方に位置している。換言すれば、本体部７０１のうち、シリンダ錠１９６の回動操作を行うことなく前面枠セット１４を閉方向に移動させる際に、支持部４２１と最初に接触する部位（本例では規制壁部７２１の下端部）が回動孔７１１（回動突起７１２）の中心位置αよりも下方に位置している。このため、支持部４２１と規制壁部７２１の下端部とが接触した場合、本体部７０１が回動孔７１１（回動突起７１２）を中心に、下方に向けて（図２４の時計回り方向に）回動することとなる。尚、本例では、規制壁部７２１と案内辺部７２２との境界部がＲ加工されており、これにより、本体部７０１と支持部４２１との接触に際し、規制壁部７２１と案内辺部７２２との境界部や支持部４２１が損傷してしまうといったおそれが抑制される。また、Ｒ加工された規制壁部７２１と案内辺部７２２との境界部のうち、支持部４２１と最初に接触する部位を含み、それよりも上方の部位は規制壁部７２１である。
【０１６１】
第２の位置にある本体部７０１の爪部７０４の係止辺部７２３は、前面枠セット１４の開閉方向に対して直交して延びている。さらに、支持部４２１のうち、前面枠セット１４の閉状態において係止辺部７２３に係止される後面（係止面）は、前面枠セット１４の開閉方向に対して直交して延びている。尚、本体部７０１が第２の位置にある状態においては、係止辺部７２３のうち爪部７０４の先端側の端部（下端部）が基端側の端部（上端部）よりもベース部材７０７側（前方）に位置することとしてもよい。また、支持部４２１の係止面は、係止面のうち先端側の部位（上端部）よりも基端側の部位（下端部）の方が前面枠セット１４の開閉方向においてベース部材７０７側（前方）に位置するようにして延びることとしてもよい。
【０１６２】
加えて、第２の位置にある本体部７０１の第２片部７０１ｂの下辺部は、前面枠セット１４の開閉方向に対して傾斜して延びているのであるが、本例では、前面枠セット１４の閉状態において第２片部７０１ｂの下辺部と接触する支持部４２１の先端部（上面）が、第２の位置にある本体部７０１の第２片部７０１ｂの下辺部と平行して延びている。これにより、係止辺部７２３の全長を長くしなくても、係止辺部７２３と支持部４２１との接触面積を増やすことができる。結果として、爪部７０４の大型化を招くことなく係止辺部７２３と支持部４２１との係止状態（前面枠セット１４の施錠状態）の安定化を図ることができる。また、例えば、係止辺部７２３の全長を延ばす必要がないことから、前面枠セット施錠部材１９４の移動範囲を大きくする（解錠位置をより下方に設定する）必要がなく、シリンダ錠１９６の解錠・施錠操作性の低下を防止することができる。
【０１６３】
第１の位置にある本体部７０１の規制壁部７２１は、前面枠セット１４の開閉方向に対して直交して延びている。また、支持部４２１のうち、規制壁部７２１と接触する前面（接触面）は、前面枠セット１４の開閉方向に対して直交して延びている。尚、本体部７０１が第１の位置にある状態においては、規制壁部７２１のうち爪部７０４側の一端部（下端部）よりも上端部の方がベース部材７０７側（前方）に位置することとしてもよい。また、支持部４２１の接触面は、接触面のうち先端側の部位（上端部）が基端側の部位（下端部）よりもベース部材７０７側（前方）に位置するようにして延びることとしてもよい。
【０１６４】
ここで、前面枠セット鉤部１４ａの動きについて簡単に説明する。図２４に示すように、規制壁部７２１と支持部４２１とが接触していない通常時においては、規制壁部７２１がコイルばねＣ５によって後方に付勢されているため、本体部７０１は第１片部７０１ａにおいて第２規制突起７１３と接触する第２の位置に存在している。
【０１６５】
シリンダ錠１９６の回動操作を行わずに前面枠セット１４を閉める場合、まず、規制壁部７２１の下端部が支持部４２１と接触する。当該接触状態からさらに前面枠セット１４を閉じていくと、規制壁部７２１が支持部４２１に押されることで、規制壁部７２１の下端部が支持部４２１の前面を摺動するようにして下方に相対移動し、本体部７０１が第２の位置から第１の位置側に向けて回動する。そして、図２５に示すように、本体部７０１が、第１片部７０１ａにおいて第１規制突起７１４と接触する第１の位置まで回動した時点で、規制壁部７２１と支持部４２１とが面接触して、支持部４２１のそれ以上の爪部７０４側への移動が規制され、前面枠セット１４をそれ以上閉めることができなくなる。
【０１６６】
以上のように、本体部７０１がベース部材７０７に対して回動可能に設けられており、該本体部７０１がコイルばねＣ５の付勢力に抗して第２の位置から第１の位置側に回動する際に、規制壁部７２１と支持部４２１との接触（前面枠セット鉤部１４ａと前面枠セット施錠部材１９４との接触）に際して発生する力を吸収することができる。結果として、上記実施形態と同様の作用効果が奏される。
【０１６７】
また、第１の位置から第２の位置へと回動する本体部７０１は、第２規制突起７１３によって第２の位置よりも大きく回動しないようになっている。このため、規制壁部７２１と支持部４２１とが接触したときに、本体部７０１がスムースに第１の位置側に回動するように、支持部４２１に対する規制壁部７２１の接触角度を所期の角度に保つことができる。
【０１６８】
さらに、規制壁部７２１と支持部４２１との接触に際して発生する力のうち、本体部７０１が第１の位置となるまでにコイルばねＣ５によって吸収しきれなかった分は、本体部７０１が第１規制突起７１４に接触することよって受け止められることとなる。従って、前面枠セット１４の閉方向への移動を確実に規制することができる。
【０１６９】
また、第２の位置にある本体部７０１の爪部７０４の係止辺部７２３が、前面枠セット１４の開閉方向に対して直交して延びるとともに、支持部４２１のうち、前面枠セット１４の閉状態において係止辺部７２３に係止される後面（係止面）は、前面枠セット１４の開閉方向に対して直交して延びている。このため、前面枠セット１４が閉鎖された状態における支持部４２１と係止辺部７２３との係止状態の安定化を図ることができる。
【０１７０】
加えて、爪部７０４の係止辺部７２３及び支持部４２１の後面（係止面）はいずれも前面枠セット１４の開閉方向に対して直交しており、互いに平行している。このため、係止辺部７２３と支持部４２１との接触面積を大きくすることができ、係止辺部７２３と支持部４２１とが圧接した際に、爪部７０４の先端部や支持部４２１の角部が損傷してしまうといったおそれを回避することができる。結果として、爪部７０４及び支持部４２１の耐久性の低下を抑止することができる。
【０１７１】
（ｂ）上記実施形態では、前面枠セット鉤部１４ａ（鉤本体４１１）にスライド部材４６１が設けられているが、前面枠セット施錠部材１９４（支持部４２１）にスライド部材４６１を設けてもよい。例えば、支持部４２１に対し、前面枠セット１４の開閉方向に沿って摺動可能なスライド部材を設けるとともに、該スライド部材を前方に付勢するコイルばねを設け、シリンダ錠１９６の回動操作を行わずに開状態にある前面枠セット１４を閉方向に移動させる場合に、前面枠セット鉤部１４ａ（鉤本体４１１）の先端部と、スライド部材の前端部（縦辺部）とが接触する構成としてもよい。
【０１７２】
また、前面枠セット１４の後面及び内枠１２の前面のうち、前面枠セット鉤部１４ａ，１４ｂ及び前面枠セット施錠部材１９４，１９５とは別の箇所に、可動部としてのスライド部材４６１を設けてもよい。例えば、前面枠セット１４の補強板１３２のうち前面枠セット鉤部１４ａ，１４ｂの上方の部位から後方に延びる板状の基部を設け、該基部に対してスライド部材を前後にスライド可能に設けるとともに、該スライド部材を第２の位置側である後方に付勢するコイルばねを設けてもよい。但し、鉤本体４１１の先端部と支持部４２１とが接触する前に、第２の位置にあるスライド部材と内枠１２（樹脂ベース２０等）が接触することとする。このような構成を採用することでも、上記実施形態と同様に、前面枠セット１４と内枠１２との圧接に起因して発生する力をスライド部材（コイルばね）によって吸収することができる。
【０１７３】
尚、当該構成を採用する場合には、内枠１２のうちスライド部材（基部）の配設位置に対応する部位に凹部を形成したり、孔を形成した上で孔の後側に壁部を立設したりすることが望ましい。この場合、前面枠セット１４の後面と内枠１２の前面との間に位置するスライド部材（基部）の少なくとも一部を、前面枠セット１４の閉鎖状態において凹部や孔の内部に収容することができる。従って、前面枠セット１４の閉鎖状態において、スライド部材（基部）と内枠１２（樹脂ベース２０）の前面とが接触することに起因して、前面枠セット１４と内枠１２との間に大きく間隙が形成され、結果として、パチンコ機１０の前後幅が大きくなってしまうといったおそれを防止することができる。尚、上記実施形態のように、スライド部材４６１を前面枠セット鉤部１４ａ，１４ｂに設けることで、シリンダ錠１９６の回動操作を行って前面枠セット１４を閉じる場合には、スライド部材４６１を内枠１２（支持部４２１）に接触させることなく前面枠セット１４をスムースに閉鎖することができる。さらには、構成の複雑化を抑制することができる。
【０１７４】
（ｃ）上記実施形態において、スライド部材４６１の縦辺部４６２に対し、ゴム製の緩衝部材を設けてもよい。また、鉤本体４１１の接触辺部４５１に対しても前記緩衝部材を設けてもよい。この場合、前面枠セット鉤部１４ａと前面枠セット施錠部材１９４との接触に際して発生する力をより吸収することができるとともに、縦辺部４６２、接触辺部４５１、及び支持部４２１の損傷を防止することができる。
【０１７５】
（ｄ）上記実施形態では、爪部４１２は、縦辺部４６２の下端部から下方に向けて鉤本体４１１の基端部側に傾斜して延びる案内辺部４１４と、案内辺部４１４の先端部から真直ぐ上方に向けて延びる係止辺部４１５とを備え、略三角形状をなしているが、爪部４１２の形状は特に限定されるものではなく、例えば、鉤本体４１１の接触辺部４５１を下方に延長するようにして延びる当接辺部を有するよう長方形状や台形状としてもよい。この場合、支持部４２１が当接辺部に接触した場合にも前面枠セット１４の閉方向への移動が規制される。
【０１７６】
（ｅ）上記実施形態において、鉤本体４１１のうち爪部４１２よりも前方に位置する部位の下辺部よりも、縦辺部４６２の下端部を下方に位置させてもよい。この場合、施錠位置にある前面枠セット施錠部材１９４の支持部４２１の先端部を、鉤本体４１１のうち爪部４１２よりも前方に位置する部位の下辺部と略同じ、又は若干下方に位置させることができる。当該構成を採用する場合、支持部４２１が爪部４１２（係止辺部４１５）に係止された状態において、コイルばねＣ２の引張力によって常に上方の施錠位置側に付勢されている前面枠セット施錠部材１９４の支持部４２１から、前面枠セット鉤部１４ａに対して、常に付加が掛けられてしまうといった事態を防止することができる。従って、前面枠セット鉤部１４ａが損傷したり変形したりするといったおそれを抑止することができる。
【０１７７】
（ｆ）上記実施形態では、鉤本体４１１から爪部４１２を突出させているが、スライド部材４６１から爪部４１２を突出させる構成としてもよい。
【０１７８】
さらに、上記実施形態では、摺動孔４６３，４６４に摺動突起４６５，４６６を挿通させることで鉤本体４１１に対してスライド部材４６１を摺動可能に設けているが、特にこのような構成に限定されるものではない。例えば、鉤本体４１１に対し、断面略Ｌ字状のレール部をスライド部材４６１の上下に一対で設け、一対のレール部に対し、スライド部材４６１の上・下辺部及び外面を摺接させる構成としてもよい。
【０１７９】
また、鉤本体４１１に対し、スライド部材４６１の摺動に際し、スライド部材４６１の上縁部や下縁部に摺接するガイド部を設けてもよい。当該構成を採用する場合、スライド部材４６１の回動を防止できるとともに、スライド部材４６１の摺動に際してのがたつきを抑制できるため、摺動孔（４６３，４６４）及び摺動突起（４６５，４６６）は一組だけでもよい。
【０１８０】
加えて、例えば、摺動孔４６３，４６４の前後幅から摺動突起４６５，４６６の径を引いた長さＬ３が、第２の位置にあるスライド部材４６１の縦辺部４６２から接触辺部４５１までの距離Ｌ４よりも短くする等して、スライド部材４６１が第１の位置にあるときにおいても、縦辺部４６２が接触辺部４５１よりも後方に位置するよう構成してもよい。この場合、接触辺部４５１に支持部４２１が接触しなくなる。
【０１８１】
また、上記実施形態では、コイルばねＣ４の縮もうとする力（引っ張り力）によってスライド部材４６１が第２の位置側に付勢される構成、すなわち、スライド部材４６１が第２の位置から第１の位置側に移動するときにコイルばねＣ４が伸ばされる構成となっているが、特にこのような構成に限定されるものではなく、スライド部材４６１が第２の位置側に付勢される構成となっていればよい。例えば、スライド部材４６１が第２の位置から第１の位置側に移動するときにコイルばねＣ５が縮められる構成とし、コイルばねの伸びようとする力（反発力）によってスライド部材４６１が第２の位置側に付勢される構成としてもよい。
【０１８２】
（ｇ）上記実施形態では、縦辺部４６２及び支持部４２１の前面は、前面枠セット１４の開閉方向と直交して延びているが、例えば、縦辺部４６２は、縦辺部４６２のうち爪部４１２側の下端部よりも上端部の方が鉤本体４１１の基端部側（前方）に位置するように延びてもよいし、支持部４２１の前面は、当該前面のうち先端側（上側）の部位が基端側（下側）の部位よりも鉤部材４１１の基端部側（前方）に位置するようにして延びてもよい。
【０１８３】
（ｈ）上記実施形態では、内枠１２に施錠装置Ｇ１が設けられているが、前面枠セット１４に施錠装置Ｇ１を設けてもよい。また、上記実施形態では、内枠１２に対して前面枠セット１４を施錠する施錠機構と、外枠１１に対して内枠１２を施錠する施錠機構とが一体で構成されているが、別々に構成してもよい。さらに、上記実施形態では、前面枠セット１４に爪部４１２を具備する鉤部材（前面枠セット鉤部１４ａ）が設けられ、施錠装置Ｇ１に爪部４１２と係合する受部材（前面枠セット施錠部材１９４）が設けられているが、前面枠セット１４に受部材を設け、施錠装置Ｇ１に鉤部材を設けてもよい。この場合、鉤部材が施錠位置と解錠位置との間で移動することとなる。また、上記実施形態では、前面枠セット施錠部材１９４，１９５及び前面枠セット鉤部１４ａ，１４ｂのうち前面枠セット施錠部材１９４，１９５だけが移動することで前面枠セット１４の施錠・解錠が行われているが、前面枠セット施錠部材１９４，１９５及び前面枠セット鉤部１４ａ，１４ｂの両方が移動することで前面枠セット１４の施錠・解錠が行われる構成としてもよい。例えば、シリンダ錠１９６の回動操作に連動して、前面枠セット施錠部材１９４，１９５が下方に移動するとともに、前面枠セット鉤部１４ａ，１４ｂが上方に移動する構成としてもよい。また、例えば、シリンダ錠１９６の回動操作に連動するのは前面枠セット施錠部材１９４，１９５だけにしておき、支持部４２１が案内辺部４１４を摺接する際に、前面枠セット鉤部１４ａ，１４ｂが上方に押し上げられる構成としてもよい。いずれにしても、前面枠セット鉤部１４ａ，１４ｂを上下に移動可能に構成する場合には、前面枠セット鉤部１４ａ，１４ｂをその施錠位置側である下方に付勢するコイルばね等を設けることが望ましい。
【０１８４】
（ｉ）加えて上記実施形態では前面枠セット１４を内枠１２に施錠する前面枠セット１４の施錠機構について具体化しているが、内枠１２を外枠１１に施錠する内枠の施錠機構についても、前面枠セット１４の施錠機構と同様の構成を具備することとしてもよい。つまり、内枠鉤部材１９２，１９３に対してスライド部材を設けてもよい。また、内枠鉤部材１９２，１９３に対して別体のスライド部材を設けるのではなく、内枠鉤部材１９２，１９３自体が前後方向にも変位する構成とし、内枠鉤部材１９２，１９３が可動部を構成してもよい。
【０１８５】
以下、上記構成の態様例を、図２６、図２７を参照しつつ説明する。尚、図２６は内枠鉤部材１９２が第２の位置にある状態を示し、図２７は内枠鉤部材１９２が第１の位置にある状態を示す。鉤部材としての内枠鉤部材１９２は、その取付状態において摺動杆１９１の内面と略当接状態となる薄板状の鉤部材本体６０１と、鉤部材本体６０１から後方に延びる延出部６０３と、延出部６０３の先端から下方に突出する爪部６０５とを備えている。本例では、鉤部材本体６０１の先端部（後縁部）と爪部６０５の後端縁とが連続して真直ぐ延びている。以下、鉤部材本体６０１の後縁部と爪部６０５の後端縁とで構成される辺部を規制壁部８０１と称する。
【０１８６】
また、爪部６０５は、規制壁部８０１の下端部から前方に向けて延びる案内辺部８１１と、案内辺部８１１の先端部と延出部６０３とを連結するようにして延びる係止辺部８１２とを有している。また、内枠鉤部材１９２は、鉤部材本体６０１の下部から内枠１２の内側（窓部２１内周側）に向けて突出し、その先端部に拡径部を有する略円柱状の接続部としての摺動突起６０７を備えている。一方、摺動杆１９１及び支持板１８８には、摺動突起６０７と相対する位置に、長円状の挿通孔６０９及び摺動孔６１１が形成されている。挿通孔６０９及び摺動孔６１１は、その上下幅が摺動突起６０７の径よりも大きく構成され、その左右幅が摺動突起６０７の拡径部の径よりも小さく構成されている。そして、摺動突起６０７が対応する挿通孔６０９及び摺動孔６１１に挿通され、摺動突起６０７の拡径部が支持板１８８の窓部２１側に位置していることで、支持板１８８（基枠１８６）及び摺動杆１９１に対して、内枠鉤部材１９２が上下に相対移動（摺動）可能に設けられている。このような構成により、シリンダ錠１９６の回動操作に連動して、摺動杆１９１が上方に移動すると、内枠鉤部材１９２が摺動突起６０７において摺動杆１９１の挿通孔６０９の下縁部と接触して上方に押されることとなる。つまり、内枠鉤部材１９２は、摺動杆１９１の上方への摺動に連動して、上方に向けて摺動するようになっている。
【０１８７】
また、内枠鉤部材１９２は、一端が内枠鉤部材１９２（鉤部材本体６０１）に固定されるとともに、他端が支持板１８８に固定されたコイルばねＣ１により、常には下方位置側に引っ張られている。内枠鉤部材１９２の摺動範囲のうち、下方位置（摺動突起６０７と摺動孔６１１の下縁部とが略当接する位置）が内枠鉤部材１９２の施錠位置に相当し、上方位置（摺動突起６０７と摺動孔６１１の上縁部とが略当接する位置）が内枠鉤部材１９２の解錠位置に相当する。また、内枠鉤部材１９２が施錠位置にあるときには、爪馬８３の上端部が規制壁部８０１の上端部と下端部との間に位置する。このため、内枠鉤部材１９２が施錠位置にあるときに内枠１２を閉方向に移動させたとしても、規制壁部８０１と爪馬８３とが接触し、内枠１２を閉鎖できないようになっている。一方、内枠鉤部材１９２が解錠位置にあるときには、爪馬８３の上端部が爪部６０５よりも下方に位置する。このため、内枠鉤部材１９２が施錠位置にあるときには、内枠１２に対して閉方向に力を加えることで、内枠１２を閉状態とすることができる。尚、本例では、内枠１２が扉体を構成し、外枠１１が固定枠を構成し、爪馬８３が受部材、支持部を構成する。
【０１８８】
また、取付板１８７には、施錠位置にある内枠鉤部材１９２の鉤部材本体６０１に対応する部位に規制手段としての規制孔８０３が形成されている。上記のように、内枠鉤部材１９２は、支持板１８８に対して、略円柱状の摺動突起６０７が挿通孔６０９及び摺動孔６１１に挿通されることで接続されているだけであるため、取付板１８７等内枠鉤部材１９２の側部に接触する部分がなければ回動可能である。本例では、規制孔８０３によって内枠鉤部材１９２の回動を許容するスペースが確保されるため、内枠鉤部材１９２は支持板１８８に対して回動可能に設けられていることとなる。加えて、爪部６０５は摺動突起６０７よりも上方に位置している。このため、規制壁部８０１や案内辺部８１１を前方や上方に押圧することで、鉤部材本体６０１の上部が規制孔８０３に差込まれるようにして、鉤部材本体６０１が摺動突起６０７の中心位置を中心として前方に回動することとなる。そして、鉤部材本体６０１の前端縁と規制孔８０３の下縁部とが接触した時点で、鉤部材本体６０１のそれ以上の回動が規制される。本例では、規制孔８０３の下縁部が第１規制部を構成する。また、摺動杆１９１には、鉤部材本体６０１が規制孔８０３から抜け出し、鉤部材本体６０１が摺動杆１９１に沿って上下に延びたときに鉤部材本体６０１の下縁部と接触し、鉤部材本体６０１のそれ以上の回動を規制する第２規制部８０５が設けられている。尚、本例では摺動突起６０７の中心位置が鉤部材の回動中心位置に相当する。
【０１８９】
また、規制孔８０３は、その上縁部が施錠位置かつ第２の位置にある内枠鉤部材１９２の上端部よりも若干上方に位置し、下縁部が施錠位置にある内枠鉤部材１９２の規制突起６０７の中心位置よりも若干上方に位置する。
【０１９０】
尚、本例では、鉤部材本体６０１の上部が規制孔８０３に差し込まれ、鉤部材本体６０１と規制孔８０３の下縁部とが接触した状態のときの鉤部材本体６０１（内枠鉤部材１９２）の位置が第１の位置に相当し、鉤部材本体６０１が規制孔８０３に差し込まれておらず、鉤部材本体６０１と第２規制部８０５とが接触した状態のときの内枠鉤部材１９２の位置が第２の位置に相当する。尚、図２６，図２７では内枠１２の樹脂ベース２０の図示を省略しているが、当該樹脂ベース２０には、規制孔８０３に対応する位置に、内枠鉤部材１９２の上部の挿入を許容する孔部又は凹部が形成されている。
【０１９１】
また、本例では、付勢手段としてのコイルばねＣ１のうち内枠鉤部材１９２に固定された一端部は、取付板１８７に固定された他端部よりも上方かつ前方に位置している。より詳しくは、図２６に示すように、内枠鉤部材１９２が第２の位置にある状態において、コイルばねＣ１のうち内枠鉤部材１９２に固定された一端部は、内枠鉤部材１９２の回動中心である摺動突起６０７よりも上方かつ後方（図２６では右方）に位置している。さらに、図２７に示すように、内枠鉤部材１９２が第１の位置にある状態において、内枠鉤部材１９２の回動中心である摺動突起６０７は、コイルばねＣ１の一端部と他端部とを結ぶ直線（コイルばねＣ１）の前側に位置している。つまり、内枠鉤部材１９２は下方の施錠位置側に付勢されるとともに、後方の第２の位置側にも付勢されている。このため、内枠鉤部材１９２に対して、摺動突起６０７を中心に図２６、図２７の時計回り方向への力が働くこととなる。
【０１９２】
加えて、第１の位置にある内枠鉤部材１９２の規制壁部８０１は、内枠１２の開閉方向と直交する方向（上下方向）に延びている。また、第２の位置にある内枠鉤部材１９２の係止辺部８１２は、内枠１２の開閉方向と直交する方向（上下方向）に延びている。さらに、爪馬８３のうち規制壁部８０１と接触する接触面（前面）及び爪馬８３のうち内枠１２の閉状態において係止辺部８１２に係止される係止面（後面）は、内枠１２の開閉方向と直交する方向（上下方向）に延びている。
【０１９３】
尚、支持板１８８は、施錠位置にある内枠鉤部材１９２と対応する部位において、その後縁部（図２６では右側の端部）から基枠１８６内側（図２６では手前側）に突出する基部、及び基部の先端から下方に延びる接触部からなる略Ｌ字状の摺動案内部６１３を備えている。そして、該摺動案内部６１３の内側に形成されたスリット６１５に内枠鉤部材１９２を挿通することで、内枠鉤部材１９２の摺動に際してのがたつきの抑制が図られている。但し、当該摺動案内部６１３は、施錠位置にある内枠鉤部材１９２の回動を妨げない位置に設けられている。
【０１９４】
内枠１２の閉状態においては、外枠１１の内側に固定された爪馬８３の後面に対して爪部６０５が係止される。これにより、閉状態にある内枠１２の開放が規制される。尚、下側の内枠鉤部材１９３及びこれに対応する部位についても同様の構成を具備している。
【０１９５】
ここで、内枠鉤部材１９２の動きについて簡単に説明する。シリンダ錠１９６の回動操作を行わずに、内枠１２を閉めていく場合、まず、第２の位置にある内枠鉤部材１９２（図２６参照）の規制壁部８０１と爪馬８３とが接触（線接触）する。当該接触状態からさらに内枠１２を閉じていくことで、内枠鉤部材１９２が爪馬８３に押され、コイルばねＣ１の引張力に抗して第２の位置から前方の第１の位置側に回動する。そして、鉤部材本体６０１と規制孔８０３の下縁部とが接触した時点で（図２７参照）爪馬８３の爪部６０５側への相対移動が規制され、内枠１２の閉方向への移動が規制される。これにより、内枠１２をそれ以上閉めることができなくなっている。このため、内枠１２が不正開放されたことを発見しやすくなり、結果として、内枠１２を不正に解錠し、内枠１２裏側に設けられた制御機器を不正に操作したり交換したりする等して、多くの遊技媒体を獲得するといった不正行為を抑制することができる。
【０１９６】
以上の構成を採用することで、内枠鉤部材１９２が第２の位置から第１の位置へと移動する間に、内枠鉤部材１９２と爪馬８３との衝突に起因する衝撃等をコイルばねＣ１によって吸収することができ、内枠鉤部材１９２や爪馬８３等が損傷してしまうといったおそれを防止することができる。
【０１９７】
また、本例では、施錠位置と解錠位置との間で内枠鉤部材１９２を摺動させ、外枠１１に対する内枠１２の施錠・解錠を行うといった構成に対し、少なくとも施錠位置にある内枠鉤部材１９２を回動可能に構成するとともに、該内枠鉤部材１９２を第２の位置側にも付勢するようにコイルばねＣ１の取付位置を設定することで、内枠鉤部材１９２と爪馬８３との圧接に際して発生する力を吸収する構成としている。このため、特に、部品点数を増やしたり、構成の複雑化を招いたりすることなく、内枠鉤部材１９２と爪馬８３との圧接に際して発生する力を吸収するといった作用効果を得ることができる。
【０１９８】
また、第１の位置から第２の位置へと回動する内枠鉤部材１９２（鉤部材本体６０１）は、第２規制部８０５によって第２の位置よりも大きく回動しないようになっている。このため、内枠鉤部材１９２（規制壁部８０１）と爪馬８３とが接触したときに、内枠鉤部材１９２がスムースに第１の位置側に回動するように、爪馬８３に対する内枠鉤部材１９２（規制壁部８０１）の接触角度を所期の角度に保つことができる。
【０１９９】
さらに、内枠鉤部材１９２と爪馬８３との圧接に起因して発生する力のうち、内枠鉤部材１９２が第１の位置となるまでにコイルばねＣ１によって吸収しきれなかった分は、内枠鉤部材１９２が第１規制部としての規制孔８０３の下縁部に接触することよって受け止められることとなる。従って、前面枠セット１４の閉方向への移動を確実に規制することができる。
【０２００】
また、爪部６０５を持ち上げて内枠鉤部材１９２を解錠位置側に動かし、内枠１２を不正解錠しようとした場合には、内枠鉤部材１９２が第１の位置に向けて回動することとなる。上記のように、内枠鉤部材１９２が第１の位置にあるときには、鉤部材本体６０１の上部が規制孔８０３に差込まれた状態となるため、内枠鉤部材１９２を上方に移動させようとしても、鉤部材本体６０１が規制孔８０３の上縁部に接触して、内枠鉤部材１９２の上方への移動が規制されることとなる。このため、内枠１２を不正に解錠し、内枠１２裏側に設けられた制御機器を不正に操作したり交換したりする等して、多くの遊技媒体を獲得するといった不正行為をより確実に抑制することができる。
【０２０１】
第１の位置にある内枠鉤部材１９２の規制壁部８０１は、内枠１２の開閉方向と直交する方向（上下方向）に延びている。また、爪馬８３のうち規制壁部８０１と接触する接触面（前面）は、内枠１２の開閉方向と直交する方向（上下方向）に延びている。これらの構成により、規制壁部８０１と爪馬８３とが圧接された際に、規制壁部８０１又は接触面に案内されるようにして、爪馬８３が接触部位から外れる方向に相対移動してしまうといったおそれを回避することができ、爪馬８３が接触部位から外れることに起因する不具合を防止することができる。
【０２０２】
第２の位置にある内枠鉤部材１９２の係止辺部８１２は、内枠１２の開閉方向と直交する方向（上下方向）に延びている。また、爪馬８３のうち内枠１２の閉状態において係止辺部８１２に係止される係止面（後面）は、内枠１２の開閉方向と直交する方向（上下方向）に延びている。つまり、第２の位置にある内枠鉤部材１９２の係止辺部８１２と、爪馬８３の係止面とが平行しているため、係止辺部８１２と爪馬８３との接触面積を極力大きくすることができる。従って、係止辺部８１２と爪馬８３とが圧接した際に、爪部６０５や爪馬８３が損傷してしまうといったおそれを抑制することができ、爪部６０５及び爪馬８３の耐久性の低下を抑止することができる。
【０２０３】
（ｊ）上記実施形態とは異なるタイプのパチンコ機等として実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当り図柄が表示された後に所定の領域に遊技球を入賞させることを必要条件として特別遊技状態となるパチンコ機として実施してもよい。さらに、羽根モノと称されるパチンコ機に適用することも可能である。また、パチンコ機以外にも、アレンジボール機や、それに類する雀球等の各種遊技機として実施することも可能である。ただし、これらの遊技機には、液晶表示装置やドットマトリクス表示装置等の可変表示装置が搭載されているものとする。
【０２０４】
（ｋ）パチンコ機以外の遊技機として、可変表示装置としての補助表示装置（液晶表示装置、ドットマトリクス表示装置）を備える回胴式遊技機としてのスロットマシンとしても、もちろん実施可能である。なお、スロットマシンは、複数の図柄が付された回転体を備えており、例えばコインを投入して、図柄有効ラインを決定させた状態で操作レバーを操作することにより図柄が変動し、停止ボタンを操作することで図柄が停止される周知のものである。この場合、補助表示装置は、回転体の回転に伴って各種演出態様を表示する。
【０２０５】
また、パチンコ機とスロットマシンとが融合した遊技機として実施してもよい。具体例としては、複数の識別情報からなる識別情報列（具体的にはリールであり、識別情報はリールに付されたシンボルである）を変動表示（具体的にはリールの回動である）した後に識別情報を最終停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その際になされる抽選結果により、遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるものである。
【図面の簡単な説明】
【０２０６】
【図１】一実施の形態におけるパチンコ機を示す正面図である。
【図２】外枠と内枠とに対して、前面枠セット及び下皿ユニットを開放した状態を示す斜視図である。
【図３】外枠を示す斜視図である。
【図４】パチンコ機より前面枠セット１４を取外した状態を示す正面図である。
【図５】遊技盤の構成を示す正面図である。
【図６】ガラスユニットの構成を示す正面図である。
【図７】パチンコ機の構成を示す背面図である。
【図８】内枠および遊技盤の構成を示す背面図である。
【図９】外枠に対して内枠を開放した状態を示す背面側の斜視図である。
【図１０】施錠装置の正面図である。
【図１１】施錠装置の右側面図である。
【図１２】施錠装置の左側面図である。
【図１３】施錠装置の背面図である。
【図１４】施錠装置の正面右側の斜視図である。
【図１５】施錠装置の背面左側の斜視図である。
【図１６】施錠装置の背面右側の斜視図である。
【図１７】前面枠セットが開放された状態における前面枠セット鉤部と前面枠セット施錠部材との位置関係を説明するための模式断面図である。
【図１８】前面枠セットを閉状態とする過程を説明するための模式断面図である。
【図１９】前面枠セットの閉状態における前面枠セット鉤部と前面枠セット施錠部材との位置関係を説明するための模式断面図である。
【図２０】支持部に対して縦辺部及び接触辺部が接触した状態における前面枠セット鉤部と前面枠セット施錠部材との位置関係を説明するための模式断面図である。
【図２１】パチンコ機の主な電気的構成を示すブロック図である。
【図２２】前面枠セットと内枠との位置関係を説明するための模式断面図である。
【図２３】前面枠セットと内枠との位置関係を説明するための模式断面図である。
【図２４】別の実施形態において第２の位置にある前面枠セット鉤部と支持部との位置関係を説明するための模式断面図である。
【図２５】別の実施形態において第１の位置にある前面枠セット鉤部と支持部との位置関係を説明するための模式断面図である。
【図２６】別の実施形態において第２の位置にある内枠鉤部材と爪馬との位置関係を説明するための模式断面図である。
【図２７】別の実施形態において第１の位置にある内枠鉤部材と爪馬との位置関係を説明するための模式断面図である。
【符号の説明】
【０２０７】
１０…遊技機としてのパチンコ機、１１…外枠、１２…遊技機本体としての内枠、１４…扉体としての前面枠セット、１４ａ，１４ｂ…鉤部材を構成する前面枠セット鉤部、２２…開放検知センサ、３０…遊技盤、９０，９１…連通孔、１３２…補強板、１８６…基枠、１８７…取付板、１８９，１９０…挿入孔、１９４，１９５…受部材を構成する前面枠セット施錠部材、１９４ａ，１９５ａ…係止孔、１９６…錠部材としてのシリンダ錠、４１１…鉤本体、４１２…爪部、４１４…案内辺部、４１５…係止辺部、４２１…支持部、４５１…移動規制部としての接触辺部、４６１…可動部としてのスライド部材、４６２…当接部としての縦辺部、４６３，４６４…摺動孔、４６５，４６６…摺動突起、Ｃ２…付勢手段としてのコイルばね、Ｃ４…緩衝付勢手段としてのコイルばね、Ｇ１…施錠手段を構成する施錠装置。
【図１】
2008006071.tif 000003
【図２】
2008006071.tif 000004
【図３】
2008006071.tif 000005
【図４】
2008006071.tif 000006
【図５】
2008006071.tif 000007
【図６】
2008006071.tif 000008
【図７】
2008006071.tif 000009
【図８】
2008006071.tif 000010
【図９】
2008006071.tif 000011
【図１０】
2008006071.tif 000012
【図１１】
2008006071.tif 000013
【図１２】
2008006071.tif 000014
【図１３】
2008006071.tif 000015
【図１４】
2008006071.tif 000016
【図１５】
2008006071.tif 000017
【図１６】
2008006071.tif 000018
【図１７】
2008006071.tif 000019
【図１８】
2008006071.tif 000020
【図１９】
2008006071.tif 000021
【図２０】
2008006071.tif 000022
【図２１】
2008006071.tif 000023
【図２２】
2008006071.tif 000024
【図２３】
2008006071.tif 000025
【図２４】
2008006071.tif 000026
【図２５】
2008006071.tif 000027
【図２６】
2008006071.tif 000028
【図２７】
2008006071.tif 000029